(57)【特許請求の範囲】
【請求項１】
分散型マルチアンテナワイヤレス通信を容易にするための基地局により実現される方法であって、
ワイヤレス通信デバイス（ＷＣＤ）と前記ＷＣＤの可能性のあるワイヤレスパートナーとを識別するデータを得るために有線またはワイヤレスの通信インターフェースを使用すること、
前記のＷＣＤまたはワイヤレスパートナーについての分散型マルチアンテナワイヤレス通信のための分散処理を容易にするため、前記のＷＣＤまたはワイヤレスパートナーにインデックスを付与したインデックスパラメータを生成するためにプロセッサを使用すること、および
前記インデックスパラメータを前記ＷＣＤまたは前記ワイヤレスパートナーへと転送するために前記通信インターフェースを使用すること
を具備してなり、
前記分散型マルチアンテナワイヤレス通信は、前記ＷＣＤのアンテナと前記ワイヤレスパートナーのアンテナとを送信アンテナとして用いて、または、前記ＷＣＤのアンテナと前記ワイヤレスパートナーのアンテナとを受信アンテナとして用いて、他の通信デバイスとの通信として行われるものである方法。
【請求項２】
前記のＷＣＤまたはワイヤレスパートナーにおいて前記マルチアンテナ通信をインプリメントするための命令のそれぞれの組にそれぞれのインデックスパラメータを関連づけること、をさらに具備してなる請求項１に記載の方法。
【請求項３】
前記のＷＣＤまたはワイヤレスパートナーに割り当てられるインデックスパラメータは、前記通信のための前記のＷＣＤまたはワイヤレスパートナーによって使用されるべき１組の前記命令を識別する、請求項２に記載の方法。
【請求項４】
前記マルチアンテナ通信のためのデータを交換するために、前記のＷＣＤとワイヤレスパートナーとについてのワイヤレスチャネルを識別すること、をさらに具備してなる請求項１に記載の方法。
【請求項５】
前記インデックスパラメータは、前記マルチアンテナ通信をインプリメントする際に、前記のＷＣＤとワイヤレスパートナーとについてのそれぞれの役割を確立する、請求項１に記載の方法。
【請求項６】
分散型マルチアンテナワイヤレス通信を容易にするための装置であって、
ワイヤレス通信デバイス（ＷＣＤ）と前記ＷＣＤの可能性のあるワイヤレスパートナーとを識別するメッセージを得る通信インターフェース、および、
前記のＷＣＤとワイヤレスパートナーとについての分散型マルチアンテナワイヤレス通信のための分散処理を容易にするため、前記のＷＣＤまたはワイヤレスパートナーにインデックスを付与したインデックスパラメータを生成する分散型制御モジュール、
を具備してなり、
前記のＷＣＤまたはワイヤレスパートナーへと前記インデックスパラメータを送信するために前記通信インターフェースを使用し、
前記分散型マルチアンテナワイヤレス通信は、前記ＷＣＤのアンテナと前記ワイヤレスパートナーのアンテナとを送信アンテナとして用いて、または、前記ＷＣＤのアンテナと前記ワイヤレスパートナーのアンテナとを受信アンテナとして用いて、他の通信デバイスとの通信として行われるものである装置。
【請求項７】
前記分散型制御モジュールは、前記のＷＣＤまたはワイヤレスパートナーにおいて前記マルチストリーム通信をインプリメントするための命令のそれぞれの組にそれぞれのインデックスパラメータを関連づける、請求項６に記載の装置。
【請求項８】
前記ＷＣＤまたは前記ワイヤレスパートナーに割り当てられるインデックスパラメータは、前記通信のために前記ＷＣＤまたは前記ワイヤレスパートナーによって使用されるべき１組の前記命令を識別する、請求項７に記載の装置。
【請求項９】
前記マルチアンテナ通信をインプリメントする際に前記のＷＣＤとワイヤレスパートナーとの間のデータ交換のためのワイヤレスチャネルを識別するリソースモジュール、をさらに具備してなり、前記ＷＣＤは、ユーザ端末（ＵＴ）である、請求項６に記載の装置。
【請求項１０】
前記インデックスパラメータは、前記マルチアンテナ通信をインプリメントする際に前記のＷＣＤとワイヤレスパートナーとについてのそれぞれの役割を確立する、請求項６に記載の装置。
【請求項１１】
前記ワイヤレスパートナーは、ＵＴ、ネットワークアクセスポイント、またはワイヤレス中継器である、請求項６に記載の装置。
【請求項１２】
分散型マルチアンテナワイヤレス通信を容易にするための装置であって、
ワイヤレス通信デバイス（ＷＣＤ）と前記ＷＣＤの可能性のあるワイヤレスパートナーとを識別するデータを得るための手段、
前記のＷＣＤまたはワイヤレスパートナーについての分散型マルチアンテナワイヤレス通信のための分散処理を容易にするため、前記のＷＣＤまたはワイヤレスパートナーにインデックスを付与したインデックスパラメータを生成するための手段、および、
前記インデックスパラメータを前記ＷＣＤまたは前記ワイヤレスパートナーへと転送するための手段、
を具備してなり、
前記分散型マルチアンテナワイヤレス通信は、前記ＷＣＤのアンテナと前記ワイヤレスパートナーのアンテナとを送信アンテナとして用いて、または、前記ＷＣＤのアンテナと前記ワイヤレスパートナーのアンテナとを受信アンテナとして用いて、他の通信デバイスとの通信として行われるものである装置。
【請求項１３】
前記ＷＣＤまたは前記ワイヤレスパートナーに割り当てられるインデックスパラメータは、前記通信のために前記ＷＣＤまたは前記ワイヤレスパートナーによって使用されるべき１組の命令を識別する、請求項１２に記載の装置。
【請求項１４】
分散型マルチアンテナワイヤレス通信を容易にするためのプロセッサであって、
ワイヤレス通信デバイス（ＷＣＤ）と前記ＷＣＤの可能性のあるワイヤレスパートナーとを識別するデータを得るための第１のモジュールと、
前記のＷＣＤまたはワイヤレスパートナーについての分散型マルチアンテナワイヤレス通信のための分散処理を容易にするため、前記のＷＣＤまたはワイヤレスパートナーにインデックスを付与したインデックスパラメータを生成するための第２のモジュールと、
前記インデックスパラメータを前記ＷＣＤまたは前記ワイヤレスパートナーへと転送するための第３のモジュールと、
を具備してなり、
前記分散型マルチアンテナワイヤレス通信は、前記ＷＣＤのアンテナと前記ワイヤレスパートナーのアンテナとを送信アンテナとして用いて、または、前記ＷＣＤのアンテナと前記ワイヤレスパートナーのアンテナとを受信アンテナとして用いて、他の通信デバイスとの通信として行われるものであるプロセッサ。
【請求項１５】
前記ＷＣＤまたは前記ワイヤレスパートナーに割り当てられるインデックスパラメータは、前記通信のために前記ＷＣＤまたは前記ワイヤレスパートナーによって使用されるべき１組の命令を識別する、請求項１４に記載のプロセッサ。
【請求項１６】
コンピュータに、ワイヤレス通信デバイス（ＷＣＤ）と前記ＷＣＤの可能性のあるワイヤレスパートナーとを識別するデータを得るようにさせるための第１の組のコード、
前記コンピュータに、前記のＷＣＤまたはワイヤレスパートナーについての分散型マルチアンテナワイヤレス通信のための分散処理を容易にするため、前記のＷＣＤまたはワイヤレスパートナーにインデックスを付与したインデックスパラメータを生成するようにさせるための第２の組のコード、および
前記コンピュータに、前記インデックスパラメータを前記ＷＣＤまたは前記ワイヤレスパートナーへと転送するようにさせるための第３の組のコードとを備え、
前記分散型マルチアンテナワイヤレス通信は、前記ＷＣＤのアンテナと前記ワイヤレスパートナーのアンテナとを送信アンテナとして用いて、または、前記ＷＣＤのアンテナと前記ワイヤレスパートナーのアンテナとを受信アンテナとして用いて、他の通信デバイスとの通信として行われるものであるコンピュータプログラム。
【請求項１７】
前記ＷＣＤまたは前記ワイヤレスパートナーに割り当てられるインデックスパラメータは、前記通信のために前記ＷＣＤまたは前記ワイヤレスパートナーによって使用されるべき１組の命令を識別する、請求項１６に記載のコンピュータプログラム。
【発明の詳細な説明】
【関連出願の表示】
【０００１】
３５Ｕ．Ｓ．Ｃ．§１１９の下の優先権の主張
特許のための本願は、おのおのがこの譲受人に譲渡され、そしてこれによってここにおいて参照によって明示的に組み込まれている、２００８年８月５日に出願されたユーザの間で共有するアンテナのための中継アンテナのインデックス付け技法(RELAY ANTENNA INDEXING TECHNIQUES FOR ANTENNA SHARING AMONG USERS)という名称の米国仮出願第６１／０８６，４４１号と、２００８年６月２５日に出願されたモバイルデバイス中継器(MOBILE DEVICE RELAY)と言う名称の米国仮出願第６１／０７５，６９１号と、の優先権を主張するものである。
【技術分野】
【０００２】
以下は、一般にワイヤレス通信に関し、そしてより詳細には分散型のマルチアンテナワイヤレス通信（distributed multiple-antenna wireless communication）に関する。
【背景技術】
【０００３】
ワイヤレス通信システムは、例えば、音声通信、データ通信およびコンテンツなど、様々なタイプの通信と通信コンテンツとを提供するために広く展開される。典型的なワイヤレス通信システムは、使用可能なシステムリソース（例えば、帯域幅、送信パワー）を共有することにより、複数の(multiple)ユーザとの通信をサポートするための多元接続システム(multiple-access systems)とすることができる。そのような多元接続システムの例は、符号分割多元接続(code division multiple access)（ＣＤＭＡ）システムと、時分割多元接続(time division multiple access)（ＴＤＭＡ）システムと、周波数分割多元接続(frequency division multiple access)（ＦＤＭＡ）システムと、直交周波数分割多元接続(orthogonal frequency division multiple access)（ＯＦＤＭＡ）システムなどと、を含むことができる。
【０００４】
一般に、ワイヤレス多元接続通信システムは、複数のユーザ端末についての通信を同時にサポートすることができる。モバイルデバイスは、それぞれ、順方向リンクおよび逆方向リンクの上の送信を経由して１つまたは複数の基地局と通信することができる。順方向リンク（またはダウンリンク）は、基地局からユーザ端末への通信リンクを意味し、そして逆方向リンク（またはアップリンク）は、ユーザ端末から基地局への通信リンクを意味する。さらにユーザ端末と基地局との間の通信は、単一入力単一出力(single-input single-output)（ＳＩＳＯ）システムと、多入力単一出力(multiple-input single-output)（ＭＩＳＯ）システムと、多入力多出力(multiple-input multiple-output)（ＭＩＭＯ）システムなどとを経由して確立されることができる。
【０００５】
上記に加えて、アドホックワイヤレス通信ネットワークは、通信デバイスが、移動中に、そして伝統的な基地局についての必要性なしに、情報を送信し、または受信することを可能にする。これらの通信ネットワークは、ユーザ端末への、そしてユーザ端末からの情報の転送を容易にするために、例えば有線の、またはワイヤレスのアクセスポイントを経由して、他の公衆ネットワークまたは私的ネットワークに通信的に結合されることができる。そのようなアドホック通信ネットワークは、一般的に、ピアツーピア(peer-to-peer)の方法で通信する、複数のアクセス端末（例えば、モバイル通信デバイス、モバイル電話、ワイヤレスユーザ端末）を含んでいる。通信ネットワークはまた、ピアツーピア通信を容易にするために強い信号を放射するビーコンポイント(beacon points)を含むこともでき、例えば、放射されたビーコンは、ワイヤレス信号の送信および受信のためにタイミング同期化を助けるタイミング情報を含むことができる。これらのビーコンポイントは、それぞれのアクセス端末が、異なるカバレージエリア内で、そして異なるカバレージエリアを横切って移動するときに広い面積のカバレージを提供するように位置づけられる。
【０００６】
いくつかのワイヤレス通信システムにおいては、中継トランシーバは、ソースノードと宛先ノードとの間の通信を容易にするために使用される。中継トランシーバは、様々なコンフィギュレーションにおいて動作することができる。例は、再送信を含み（例えば、受信信号を受信し、フィルタにかけ、そして送信し）、増幅し、そして転送し（例えば、信号を受信し、フィルタにかけ、増幅し、そして送信し）、復号し、そして転送し（例えば、信号を受信し、復号し、処理し、符号化し、そして送信し）、圧縮し、そして転送する（信号を受信し、フィルタにかけ、圧縮し、そして転送する）などを行う。他の例は、中継トランシーバにおいてインプリメント（implement）される追加の処理またはフィルタリングに基づいて存在することができる。
【０００７】
一般に、中継器は、ワイヤレス通信において追加のユーティリティを提供することができる。例えば、中継器は、ソースデバイスと宛先デバイスとの間の通信の範囲を増大させるために使用されることができる。さらに、複数の中継器は、通信の範囲をさらに増大させるために、ワイヤレスリピータ構成（arrangement）などにおいて、使用されることができる。いくつかの状況においては、これらの中継器は、固定ポイント（例えば、計画された基地局）とすることができ、そして他の状況においては、中継器は、モバイル端末を備えることができる。例えば、アクセス端末またはユーザ端末が、アップリンクチャネルとダウンリンクチャネルとの両方の上で受信するように、そして送信するように構成されている場合には、アクセス端末は、別のワイヤレスノードのための中継器としての役割を果たすことができる。中継器は、固定されたノードまたはモバイルノードとすることができるので、中継ネットワークは、ワイヤレス通信における大量の柔軟性とカスタマイゼーション(customization)とを提供することができ、より低い干渉と、改善された範囲と、低減されたインフラストラクチャコストでさえも、もたらす可能性がある。
【発明の概要】
【０００８】
以下は、そのような態様の基本的理解を提供するために、１つまたは複数の態様の簡略化された概要を提示している。この概要は、すべての企図される概要の広範な概説ではなく、そしてすべての態様の主要な、または不可欠な要素を識別するようにも、任意のまたはすべての態様の範囲を示すようにも意図されてはいない。その唯一の目的は、後で提示されるさらに詳細な説明に対する前置きとして簡略化された形式で、１つまたは複数の態様についてのいくつかの概念を提示することである。
【０００９】
主題の開示のいくつかの態様においては、ピアツーピア(peer-to-peer)（Ｐ−Ｐ）ワイヤレス通信は、分散型のマルチアンテナ通信をインプリメントするために１組のユーザ端末(user terminals)（ＵＴ）の間で使用される。例として、中継リンクが、１つまたは複数のＰ−Ｐ ＵＴの間で確立されることができる。そのリンクは、リモートＵＴに対するインデックスパラメータ(indexing parameter)、ならびにマルチアンテナ通信のためのトラフィックデータを配信するために利用されることができる。インデックスパラメータは、特定のワイヤレスデバイスのために構成される１組のインデックス特有の命令を識別することができる。命令と、インデックスパラメータとに基づいて、そのようなワイヤレスデバイスは、マルチアンテナ通信のためのストリームを別々に計算し、そして送信し、あるいは受信し、そして復号することができる。したがって、上記の例においては、ＵＴの間のＰ−Ｐリンクは、モバイルデバイスの計画外のコンフィギュレーションについてのマルチアンテナ通信の増大されたスループットと、低減された干渉との利点と、をインプリメントするために使用されることができる。
【００１０】
１つまたは複数の他の態様においては、リモートトランスミッタのインデックス付け(indexing)は、Ｐ−Ｐおよびアクセスポイントの通信のための分散型のマルチアンテナに関連した処理のために、提供される。そのようなアクセスポイントは、セルラ基地局と、ワイヤレスルータと、マイクロ波アクセス(microwave access)（ＷｉＭＡＸ）アクセスポイントのためのワイヤレス相互運用性などと、を備えることができる。上記のように、インデックス付けは、Ｐ−Ｐデバイス（例えば、ユーザ端末）であれ、固定されたアクセスポイントであれ、それぞれのトランスミッタを区別するために、あるいはＰ−Ｐデバイスと固定されたアクセスポイントデバイスとの間でマルチアンテナ通信をインプリメントするために適したインデックス特有の命令のそれぞれの組を識別するために、使用されることができる。
【００１１】
主題の開示の他の態様によれば、モバイルネットワークコンポーネントは、１組のＰ−Ｐ ＵＴについてのマルチアンテナ通信を容易にするように構成されていることができる。モバイルネットワークは、ＵＴと、そのＵＴの少なくとも１つのＰ−Ｐパートナーとを識別する情報を得ることができる。インデックスパラメータは、ＵＴと、Ｐ−Ｐパートナーとのために生成され、そしてマルチアンテナ通信のための命令のそれぞれの組に関連づけられることができる。パラメータは、ＵＴが、命令のそれぞれの組を区別することを可能にするために、オプショナルに命令と共に、ＵＴへと転送されることができる。ひとたび識別された後に、ＵＴまたはＰ−Ｐパートナーは、マルチアンテナの送信または受信を容易にする適切な１組の命令を使用し、そしてそれに関連づけられる通信の利点を得ることができる。
【００１２】
主題の開示の１つまたは複数の他の態様においては、ワイヤレス通信の一方法が、提供される。本方法は、マルチアンテナ通信のための命令をインプリメントするためにワイヤレス通信デバイス(wireless communication device)（ＷＣＤ）において少なくとも１つの通信プロセッサを使用することを備えることができる。命令は、第２のワイヤレスデバイスとのワイヤレス通信チャネルを形成すること、を備えることができる。さらに、命令は、パラメータを通信するためにチャネル上に中継リンクを確立することを備えることができ、そのパラメータは、分散型のマルチアンテナの送信または受信をインプリメントするために、ＷＣＤ、または第２のワイヤレスデバイスのアンテナにインデックスを付ける。上記に加えて、本方法は、パラメータまたは命令を記憶するメモリをＷＣＤにおいて使用すること、を備えることができる。
【００１３】
上記に加えて、マルチ入力またはマルチ出力のワイヤレス通信のための装置が、開示される。本装置は、分散型のマルチアンテナ通信をインプリメントする処理命令またはパラメータを記憶するためのメモリを備えることができる。さらに、本装置は、ワイヤレスデータを送信し、または受信するためのアンテナを備えることができる。本装置は、マルチアンテナ通信のための分散処理を容易にするためにそのアンテナ、またはワイヤレスデバイスのアンテナにインデックスを付けるために、本装置とワイヤレスデバイスとの間でワイヤレス通信チャネルを形成し、そしてワイヤレスデバイスに対してパラメータを伝えるためにパラメータに基づいて命令を実行するための、通信プロセッサをさらに備えることができる。
【００１４】
主題の開示の他の態様においては、ワイヤレス通信のための装置が、提供される。本装置は、ＷＣＤの以下のコンポーネント：ワイヤレスデバイスとのワイヤレス通信チャネルを形成するための手段と、パラメータを伝えるためにチャネル上で中継リンクを確立するための手段と、をインプリメントするために少なくとも１つの通信プロセッサを使用するための手段を備えることができ、パラメータは、分散型のマルチアンテナの送信または受信をインプリメントするためにＷＣＤまたはワイヤレスデバイスのアンテナのアンテナにインデックスを付ける。上記に加えて、本装置は、パラメータまたは命令を記憶するための手段を備えることができる。
【００１５】
主題の開示の追加の態様によれば、ワイヤレス通信のために構成されたプロセッサが、提供される。プロセッサは、ワイヤレスデバイスとのワイヤレス通信チャネルを形成するための第１のモジュールを備えることができる。さらに、プロセッサは、パラメータを通信するチャネル上で中継リンクを確立するための第２のモジュールを備えることができ、パラメータは、分散型のマルチアンテナの送信または受信をインプリメントするために、プロセッサまたはワイヤレスデバイスに関連するアンテナにインデックスを付ける。さらに、プロセッサは、メモリにパラメータまたは命令を記憶するための第３のモジュールを備えることができる。
【００１６】
主題の開示のさらに他の態様によれば、コンピュータ読取り可能媒体(computer-readable medium)を備えるコンピュータプログラムプロダクト(computer program product)が、提供される。コンピュータ読取り可能媒体は、コンピュータに、ワイヤレスデバイスとのワイヤレス通信チャネルを形成するようにさせるための第１の組のコード、を備えることができる。さらに、コンピュータ読取り可能媒体は、コンピュータに、パラメータを伝えるためにチャネル上で中継リンクを確立するようにさせるための第２の組のコードを備えることができ、パラメータは、分散型のマルチアンテナの送信または受信をインプリメントするために、コンピュータに、またはワイヤレスデバイスに関連するアンテナにインデックスを付ける。さらに、コンピュータ読取り可能媒体は、コンピュータに、パラメータまたは命令を記憶するようにさせるための第３の組のコードを備えることもできる。
【００１７】
上記に加えて、マルチアンテナワイヤレス通信を容易にするための一方法が、開示される。本方法は、ＷＣＤと、ＷＣＤの可能性のあるワイヤレスパートナーとを識別するデータを得るために有線またはワイヤレスの通信インターフェースを使用すること、を備えることができる。さらに、本方法は、ＷＣＤまたはワイヤレスパートナーについてのマルチアンテナ通信のための分散処理を容易にするインデックスパラメータを生成するためにプロセッサを使用すること、を備えることもできる。さらに、本方法は、ＷＣＤに対してインデックスパラメータを転送するために通信インターフェースを使用すること、を備えることもできる。
【００１８】
１つまたは複数の他の態様によれば、マルチアンテナワイヤレス通信を容易にするための装置が、開示される。本装置は、ＷＣＤと、ＷＣＤの可能性のあるワイヤレスパートナーとを識別するメッセージを得る通信インターフェースを備えることができる。さらに、本装置は、ＷＣＤとワイヤレスパートナーとについてのマルチアンテナ通信のための分散処理を容易にするインデックスパラメータを生成する分散制御モジュールを備えることができ、本装置は、インデックスパラメータをＷＣＤまたはワイヤレスパートナーへと送信するために通信インターフェースを使用する。
【００１９】
さらなる態様によれば、マルチアンテナワイヤレス通信を容易にするための装置が、開示される。本装置は、ＷＣＤと、ＷＣＤの可能性のあるワイヤレスパートナーとを識別するデータを得るための手段を備えることができる。さらに、本装置は、ＷＣＤまたはワイヤレスパートナーについてのマルチアンテナ通信のための分散処理を容易にするインデックスパラメータを生成するための手段、を備えることができる。上記に加えて、本装置は、インデックスパラメータをＷＣＤへと転送するための手段、を備えることができる。
【００２０】
１つまたは複数の追加の態様においては、マルチアンテナワイヤレス通信を容易にするためのプロセッサが、提供される。プロセッサは、ＷＣＤと、そのＷＣＤの可能性のあるワイヤレスパートナーとを識別するデータを得るための第１のモジュールを備えることができる。さらに、プロセッサは、ＷＣＤまたはワイヤレスパートナーについてのマルチアンテナ通信のための分散処理を容易にするインデックスパラメータを生成するための第２のモジュールを備えることができる。さらに、プロセッサは、インデックスパラメータをＷＣＤへと転送するための第３のモジュールを備えることができる。
【００２１】
主題の開示のさらに他の態様によれば、コンピュータ読取り可能媒体を備えるコンピュータプログラムプロダクトが、提供される。コンピュータ読取り可能媒体は、コンピュータに、ＷＣＤと、そのＷＣＤの可能性のあるワイヤレスパートナーとを識別するデータを得るようにさせるための第１の組のコードを備えることができる。コンピュータ読取り可能媒体は、ＷＣＤまたはワイヤレスパートナーについてのマルチアンテナ通信のための分散処理を容易にするインデックスパラメータを生成するようにさせるための第２の組のコードをさらに備えることができる。上記に対してさらに、コンピュータ読取り可能媒体は、コンピュータに、インデックスパラメータをＷＣＤへと転送するようにさせるための第３の組のコードを備えることができる。
【００２２】
上記の関連した目的の達成のために、１つまたは複数の態様は、以下で十分に説明され、そして特に特許請求の範囲の中で指摘される特徴を備える。以下の説明と、添付の図面とは、１つまたは複数の態様のある種の例示の態様を詳細に説明している。これらの態様は、様々な態様の原理が、使用されることができ、そして説明された態様が、すべてのそのような態様と、それらの等価物とを含むように意図される様々なやり方を示しているが、しかしながら、それらの様々な方法のうちの少しを示すにすぎない。
【図面の簡単な説明】
【００２３】
【図１】図１は、主題の開示の態様による一例のワイヤレス中継コンフィギュレーションのブロック図を示している。
【図２】図２は、主題の開示のさらなる態様による一例のピアツーピア（Ｐ−Ｐ）ワイヤレス通信環境のブロック図を示している。
【図３】図３は、１組のＰ−Ｐユーザ端末（ＵＴ）を使用するマルチアンテナワイヤレス通信を提供する一例のシステムのブロック図を示している。
【図４】図４は、分散処理に基づいて分散型のマルチアンテナ通信を提供する一例のシステムのブロック図を示している。
【図５】図５は、いくつかの態様によるマルチアンテナ通信をインプリメントするためにＰ−Ｐ通信を使用するように構成された一例のＵＴのブロック図を示している。
【図６】図６は、他の態様によるＰ−Ｐマルチアンテナ通信を容易にするように構成された一例の基地局のブロック図を示している。
【図７】図７は、主題の開示の態様によるマルチアンテナＰ−Ｐ通信を提供するための一例の方法のフローチャートを示している。
【図８】図８は、さらなる態様による、１組のＵＴの間のマルチアンテナ通信をインプリメントするための一例の方法のフローチャートを示している。
【図９】図９は、追加の態様によるマルチアンテナＰ−Ｐ通信を容易にするための一例の方法のフローチャートを示している。
【図１０】図１０は、Ｐ−Ｐマルチアンテナ通信をインプリメントするための一例のシステムのブロック図を示している。
【図１１】図１１は、Ｐ−Ｐマルチアンテナ通信を容易にするための一例のシステムのブロック図を示している。
【図１２】図１２は、主題の開示の他の態様による一例のモバイル通信環境のブロック図を示している。
【図１３】図１３は、モバイル通信環境と共に使用するための一例の通信装置のブロック図を示している。
【図１４】図１４は、主題の開示のさらなる態様による一例のＰ−Ｐワイヤレス通信構成のブロック図を示している。
【発明を実施するための形態】
【００２４】
様々な態様が、次に図面を参照して説明され、そこでは同様な参照番号は、全体を通して同様な要素について言及するために使用される。以下の説明においては、説明の目的のために、非常に多くの特定の詳細が、１つまたは複数の態様についての完全な理解を提供するために述べられる。しかしながら、そのような態様（単数または複数）は、これらの特定の詳細なしに実行されることができることを明らかにすることができる。他の例においては、よく知られている構造およびデバイスは、１つまたは複数の態様を説明することを容易にするためにブロック図形式で示される。
【００２５】
さらに、本開示の様々な態様が、以下で説明される。ここにおける教示が、多種多様な形態で実施されることができ、そしてここにおいて開示される任意の特定の構造および／または機能が、単に代表的なものにすぎないことは、明らかなはずである。ここにおける教示に基づいて、当業者は、ここにおいて開示される一態様が、他の任意の態様とは独立にインプリメントされることができることと、これらの態様のうちの２つ以上が、様々なやり方で組み合わされることができることと、を理解すべきである。例えば、ここにおいて説明される任意の数の態様を使用して、装置は、インプリメントされ、かつ／または方法は、実行されることができる。さらに、ここにおいて説明される態様のうちの１つまたは複数に加えて、あるいはそれら以外の、他の構造および／または機能を使用して、装置は、インプリメントされ、かつ／または方法は、実行されることができる。一例として、ここにおいて説明される方法、デバイス、システムおよび装置の多くは、モバイルのアクセスネットワーク(access network)（ＡＮ）についてのセクタ間干渉回避をインプリメントするという状況において説明される。当業者は、類似した技法が、他の通信環境に対して適用されることができることを理解すべきである。
【００２６】
ワイヤレス通信システムは、様々な信号メカニズムを使用することにより、ワイヤレスノードの間の情報交換をインプリメントする。一例においては、基地局は、タイミングシーケンスを確立するパイロット信号を送信するために、そしてとりわけ、信号ソースと、そのソースに関連するネットワークとを識別するために、使用されることができる。ユーザ端末（ＵＴ）などのリモートワイヤレスノードは、基地局との基本的な通信を確立するのに必要な情報を得るためにパイロット信号を復号することができる。ワイヤレス周波数や周波数の組などの追加データ、タイムスロット（単数または複数）、シンボルコードなどは、基地局から送信される制御信号の形で搬送されることができる。このデータは、その上で音声通信やデータ通信などのユーザ情報を搬送するトラフィックデータが、基地局と、ＵＴとの間で搬送されることができるワイヤレスリソースを確立するために利用されることができる。
【００２７】
ワイヤレス技術の最近の進化は、ソースノードと宛先ノードとの間でデータを送信する中継局を含んでいる。中継器は、あるノードから別のノードへと情報を受信し、処理し、そして転送するノードである。いくつかの場合には、中継器は、相対的なワイヤレスチャネルのよりよい信号対干渉雑音比(signal to interference and noise ratio)（ＳＩＮＲ）特性をうまく利用するために単に信号を転送する。例えば、中継器が、ソースが有するよりも良いＳＩＮＲ特性を宛先で有する場合には、改善された通信容量またはエネルギー効率が、中継器を使用することによりもたらされることができる。他の場合には、中継器は、中継器からの追加の利点を達成するために、信号をフィルタにかけること、増幅すること、圧縮することなど、より高度な処理をインプリメントすることができる。
【００２８】
主題の開示は、そのいくつかの態様において、ワイヤレス通信における容量とエネルギー効率とを増大させるためにＵＴ−協力の使用を提供する。ＵＴ−協力を可能にする１つのやり方は、ＵＴが、ネットワーク基地局や別のＵＴなど、意図された宛先に対して、他のＵＴへの、または他のＵＴからのワイヤレス信号を中継することである。主題の開示の追加の態様によれば、中継戦略は、マルチアンテナ通信システムを模倣し、そしてそのようなシステムによって提供される利点を与えることができる。マルチアンテナ通信システムの例は、多入力単一出力（ＭＩＳＯ）システムと、単一入力多出力(single input multiple output)（ＳＩＭＯ）システムと、多入力多出力（ＭＩＭＯ）システムと、を含む。一般に、マルチアンテナシステムは、複数の送信アンテナ（例えば、ＳＩＭＯシステムの中の）から同時に適切に選択された信号を送信することにより、あるいは複数の受信アンテナ（例えば、ＭＩＳＯシステムの中の）、または両方（例えば、ＭＩＭＯシステムの中の）から受信される信号を適切に処理することにより、単一入力単一出力（ＳＩＳＯ）システムよりも高い通信スループットレートを達成する。
【００２９】
マルチアンテナシステムから得られる通信の利点は、複数の送信アンテナによって送信される信号の注意深い設計、または複数の受信アンテナにおいて受信される信号の注意深い処理に由来する。さらに、異なるアンテナによって送信される／処理される信号は、同一ではない。さらに、そのような信号は、必ずしも互いに交換可能とは限らない。さらに、受信側では、異なるレシーバアンテナにおいて受信される信号は、どのアンテナが信号を受信するかと、受信信号がどのチャネルに関連づけられるかとに基づいて、適切に、区別され、処理され、そして組み合わされる。したがって、様々なアンテナを区別する能力は、マルチアンテナシステムを容易にする。
【００３０】
中央集中されたマルチアンテナ通信では、各アンテナが、共通の処理要素と直接に結合され、そしてそのような要素によって識別されるので、アンテナのインデックス付けは、比較的簡単なプロセスである。各アンテナによって送信されるべき信号は、計算され、そして固定された接続（例えば、イーサネット（登録商標）(Ethernet（登録商標）)、Ｔ−１などの有線ケーブル）の上でそれぞれのアンテナへと送られる。分散化されたノード（例えば、１組のＵＴ）では、中央処理要素とそれぞれのＵＴとの間の固定された接続が、使用可能でないので、中央集中処理は、効果的でない。さらに、ＵＴは、他のノードの範囲へと、そしてその範囲からローミングすることができ、それでアンテナの識別情報は、どちらも決定されない。
【００３１】
主題の開示のさらなる態様は、１つまたは複数の固定されたワイヤレスアクセスポイント、固定されたワイヤレス中継器、または同様なトランシーバ局をオプショナルに含めて、ピアツーピア（Ｐ−Ｐ）ＵＴの間でマルチアンテナシステムをインプリメントすることを提供する。そのようなシステムを達成するために、主題の開示は、１つまたは複数のワイヤレスチャネルを経由して通信的に結合される、１組のＵＴ（単数もしくは複数）または固定されたワイヤレストランシーバに関連するリモートアンテナ、あるいはそのようなアンテナのサブセットの区別を可能にするインデックスメカニズムを提供する。１組のマルチアンテナ通信命令もまた、アンテナインデックスの関数として提供される。命令の組と、それに割り当てられるインデックスとを利用したトランシーバ（例えば、ＵＴまたは固定局）は、マルチアンテナ通信システムの特定のアンテナによって信号を送信し、または受信するために設計された命令のサブセットを識別することができる。それ故に、インデックス付けは、個々のトランシーバが、マルチアンテナコンフィギュレーション（例えば、ＭＩＭＯ）において他のトランシーバとは独立に信号を生成し、または処理することを可能にし、分散処理をもたらす。したがって、主題の開示は、マルチアンテナ通信をインプリメントするために中央集中された処理要素と、固定されたアンテナとの使用を回避することができる。
【００３２】
以下で説明される様々な態様は、１組のＰ−Ｐデバイス（例えば、ＵＴ）についてのマルチアンテナ通信のための分散処理の例を提供することを理解すべきである。しかしながら、固定されたアクセスポイント、固定されたワイヤレス局、固定されたワイヤレス中継器、または他の非Ｐ−Ｐデバイスは、分散型のマルチアンテナ通信において使用されることもできることを理解すべきである。いくつかの態様においては、少なくとも１つのＵＴは、マルチアンテナ通信のための中継器として利用されるが、少なくとも１つのＵＴは、主題の開示の様々な態様をインプリメントすることに必須ではない。例えば、固定されたトランシーバ局は、別のワイヤレスノード（例えば、セルラ基地局）についてのワイヤレス中継器としての役割を果たすことができ、または逆もまた同様であり、そして固定されたトランシーバ局と、他のワイヤレスノードとについてのマルチアンテナ通信のための分散処理を容易にすることができる。代わりに、または追加して、他のワイヤレスノードは、固定されたトランシーバ局についての中継器としての役割を果たすこともでき、マルチアンテナ通信を容易にする。したがって、ここにおいて利用されるように、中継器、または「中継リンク」という用語（単数または複数）は、ワイヤレス通信構成について言及しており、ここで、第１のノードＡ（単数または複数）は、第２のノードＢ（単数または複数）についてのワイヤレス中継器としての役割を果たすことができ、第２のノードＢ（単数または複数）は、第１のノードＡ（単数または複数）についてのワイヤレス中継器としての役割を果たすことができ、あるいは第１のノードＡ（単数または複数）と第２のノードＢ（単数または複数）とは、互いについてのワイヤレス中継器としての役割を果たすことができる。
【００３３】
第１のノードＡ（単数または複数）と、第２のノードＢ（単数または複数）とは、単一のワイヤレストランシーバ、または別個のワイヤレストランシーバの一部分とすることができることも理解すべきである。したがって、前者の一例として、マルチアンテナモバイルデバイスの第１のワイヤレスアンテナ（例えば、ノードＡ）と、第２のワイヤレスアンテナ（例えば、ノードＢ）とは、独立にまたは一緒に、１つまたは複数の他のワイヤレスデバイス（例えば、他のモバイル電話または基地局）についてのワイヤレス中継器としての役割を果たすことができる。後者の一例として、ノードＡとノードＢとは、別個のＵＴに、ＵＴと基地局とに、ＵＴと固定された中継局となどに、結合されることができる。
【００３４】
次に図面を参照すると、図１は、ＵＴ（１０２、１０６）の間のＰ−Ｐ通信のための一例のシステム１００のブロック図を示している。Ｐ−Ｐ通信を利用して、ＵＴ（１０６）は、別のＵＴ（１０２）についての中継器としての役割を果たすことができ、ソースから宛先へのワイヤレス通信のためのＵＴ間の協力を可能にする。特に工業化された住民の中で、モバイル技術が広く使用されるようになるにつれて、多数の人々が、ワイヤレス通信サービスに加入し、そして個人通信デバイスとしてＵＴを利用している。さらに、人々は、多くの場合に一緒に（例えば、家族、作業環境、社会環境などの中で）集まるので、そしてＵＴは、一般的に、そのような人々によって簡単に持ち運ばれるポータブルデバイスであるので、複数のＵＴは、多くの場合に、互いに（ＵＴの通信範囲と相対的に）非常に接近している。したがって、ＵＴ（１０２）は、与えられた時刻に別のＵＴ（１０６）の通信範囲の中にあるという比較的高い確率を有する。柔軟なワイヤレスプロトコルと、適切なハードウェアまたはソフトウェアのコンフィギュレーションとの使用を通して、ＵＴ（１０６）は、他のＵＴ（１０２）とのＰ−Ｐ通信に従事し、そして中継器としての役割を果たすことができる。
【００３５】
順方向の通信リンク（例えば、ＵＴへと信号を送信するために一般的に基地局によって使用されるリンク）上で、ワイヤレスチャネル強度は、多くの場合に、１組のＵＴ（１０２、１０６）の間のＰ−Ｐチャネル（単数または複数）の対応する強度よりも小さい可能性がある。信号強度のそのような差異は、ＵＴの少なくともサブセットが、順方向リンクワイヤレスノード（例えば、基地局、１０４）に対する距離に相対的に非常に接近しているときに、もたらされることができる。そのような構成を用いて、マルチアンテナ通信と、それからもたらされる利点とは、多くの場合に、順方向リンク上のＰ−Ｐ ＵＴチャネルを用いて得られることができる。逆方向リンクの状況においては、ソースは、ＵＴ（１０２）とすることができ、そして宛先は、基地局（１０４）とすることができる。ソース（１０２）から中継ＵＴ（１０６）へのチャネルは、ソース（１０２）から宛先（１０４）への、または中継器（１０６）から宛先（１０４）へのチャネルよりも強くすることができる。マルチアンテナ通信は、そのような逆方向リンクにおいて、例えば、宛先（１０４）が、複数のアンテナを備える場合に達成されることもできる。
【００３６】
さらに、中継ノード（１０６）は、ワイヤレス通信における容量またはエネルギー効率を改善することができる。中継ノードの使用は、ソースから中継器への（Ｓ−Ｒ）リンク、中継器から宛先への（Ｒ−Ｄ）リンク、ソースから宛先への（Ｓ−Ｄ）リンク、またはそれらの組合せのＳＩＮＲ特性に依存する可能性がある。図１に示されるように、ソースＵＴ１０２は、宛先ノード１０４と、直接に、または中継ＵＴ１０６を経由して通信することができる。
【００３７】
様々な相対的チャネル強度のシナリオが、システム１００の通信構成の中に存在することができる。１つのそのようなシナリオにおいては、Ｓ−Ｄリンクは、Ｓ−ＲリンクまたはＲ−Ｄリンクよりもずっと強くすることができる。ソースＵＴ１０２と、宛先ノード１０４との間の直接通信が、効果的にインプリメントされることができる。しかしながら、中継ＵＴ１０６は、依然として実用的な目的のために追加された利点を提供することができる。例えば、ソースＵＴ１０２と、中継ＵＴ１０６とは、ＵＴ（１０２、１０６）の間のＰ−Ｐチャネルを開始することができる。Ｐ−Ｐチャネルを利用して、マルチアンテナ送信が、リンクされたＵＴ（１０２、１０６）によってインプリメントされることができ、ここで各ＵＴは、同様なトラフィックデータを備える信号の独立なストリームを宛先ノード１０４へと送信する。さらに、マルチアンテナ受信が、リンクされたＵＴ（１０２、１０６）によってインプリメントされることができ、ここで各ＵＴは、宛先ノード１０４によって送信される信号を独立して受信し、そして処理する。
【００３８】
別のシナリオにおいては、Ｓ−Ｒリンクは、強度が大体等しいＳ−ＤリンクおよびＲ−Ｄリンクよりもずっと強くすることができる。そのようなシナリオにおいては、システム１００は、２×１のＭＩＳＯチャネルに類似していることができる。ＭＩＳＯチャネルにおいては、アンテナによって送信される信号は、送信情報の知識に基づいている。中継ＵＴ１０６は、ＭＩＳＯシステムを模倣し、そしてソースＵＴ１０２から受信される情報を復号することができる。復号された情報は、中継ＵＴ１０６から宛先ノード１０４への通信とする（例えば、復号および転送のプロトコルと称されもする）ことができる。
【００３９】
第３のシナリオにおいては、Ｓ−Ｒリンクは、Ｒ−Ｄリンクと大体等しくすることができ、これらのリンクは、両方ともにＳ−Ｄリンクよりもかなり強い。復号および転送のプロトコルが、この第３のシナリオの中で利用されることもできる。いくつかの態様においては、Ｓ−Ｄリンクは、無視されることができ、そしてシステム１００の通信構成は、マルチ−ホップチャネル（例えば、２−ホップチャネル）として取り扱われることができる。
【００４０】
さらに別のシナリオにおいては、Ｒ−Ｄリンクは、Ｓ−Ｄリンクよりずっと強くすることができる。さらに、Ｒ−Ｄリンクは、Ｓ−Ｄリンクと大体等しい強度のものとすることができる。そのようなシナリオは、１×２のＳＩＭＯチャネルに類似していることができる。レシーバ（１０２、１０６）は、複数のレシーバアンテナ（１０２、１０６）において受信される信号についての最大比合成(maximal-ratio combination)を実行することができる。中継ＵＴ１０６においてＳＩＭＯチャネルを模倣する際に、ソースから宛先への送信に関連のある「ソフト」情報が、ソースＵＴ１０２から中継ＵＴ１０６へと伝えられることができる。いくつかの状況においては、中継器から宛先への通信は、強いＲ−Ｄリンクの容量制限の影響を受けやすい。したがって、「ソフト」情報は、プロセッサ１０８（例えば、量子化器または量子化モジュールを備える）によって、Ｒ−Ｄリンクによって搬送されることができる分解能へと離散化される(discretized)（例えば、離散ユニット(discrete unit)へと構文解析される(parsed)）ことができる。上記の態様は、３−ノード中継（例えば、ソース、宛先および１つの中継器）に基づいて特定のシナリオを用いて論じられるが、追加の態様は、主題の開示と、添付の特許請求の範囲との範囲内の他のコンフィギュレーションを用いて（例えば、複数の中継器を使用して）実行されることができることを理解すべきである。例えば、２×１のＭＩＳＯチャネルに類似した第２のシナリオにおいては、ソース送信は、復号され、そして複数の中継器から、あるいは多重化されたチャネル上で再送信されることができる。
【００４１】
ＭＩＭＯシステムは、複数の送信され、または受信される信号の独立性に応じて、ワイヤレス通信における大きなスループットの増大の源となることができる。信号の独立性を達成するために、信号を送信する複数のアンテナは、信号の波長の少なくとも２分の１だけ距離が分離されることができる。セルラ通信では、例えば、信号は、一般に実質的に１ギガヘルツ（ＧＨｚ）または２ＧＨｚで送信される。そのような周波数についての波長の２分の１は、それぞれ約１５センチメートル（ｃｍ）と７．５ｃｍとに対応する。多数の共通のＵＴ（１０２、１０６）のサイズに起因して、限られた数の独立なアンテナが、単一のＵＴに組み込まれることができ、ＭＩＭＯ通信に関連する利得を得る能力を制限している。しかしながら、ＵＴ（１０２、１０６）の間のＰ−Ｐリンクを使用することにより、近隣のＵＴ（１０２、１０６）におけるアンテナの仮想アレイが、インプリメントされることができ、ＭＩＭＯ通信に適した独立なチャネルと、豊富な散乱環境とを提供している。したがって、そのような構成は、単一のアンテナだけを有するＵＴ（１０２、１０６）についてさえも、ＭＩＭＯ技術を可能にすることができる。
【００４２】
マルチアンテナ送信（例えば、ＭＩＳＯまたはＭＩＭＯ）についての上記シナリオのいくつかによる上記を示すために、ソースＵＴ１０２と、中継ＵＴ１０６とは、信号波長の実質的に２分の１以上だけ分離される場合、独立なストリームを送信することができる。同様に、マルチアンテナ受信（例えば、ＳＩＭＯまたはＭＩＭＯ）では、ソースＵＴ１０２と、中継ＵＴ１０６とは、実質的に２分の１の信号波長によって分離されるときに、独立な信号を受信し、そして処理することができる。宛先ノード１０４が、複数のアンテナを備える場合には、システム１００は、順方向リンクデータ（例えば、ＵＴ１０２へと送信される）についての、そして逆方向リンクデータ（例えば、宛先へと送信される）についてのＭＩＭＯ構成をインプリメントすることができる。
【００４３】
代わりに、または上記に追加して、増大された処理パワーが、宛先ノード１０４またはＵＴ１０２に対して提供されることができる。一例においては、ここにおいて開示される態様は、追加のインフラストラクチャ（例えば、固定された中継局）なしにインプリメントされることができ、わずかな追加コスト、または追加コストなしで、ＭＩＭＯ−タイプ通信を可能にする。ＵＴ中継器が、組織される（例えば、ソースＵＴ１０２の範囲内の適切なＵＴからインプリメントされる）ことができるので、通信は、特定の環境の過渡人口(transient population)に適合することができる。例えば、ショッピングエリアは、混雑しているときに強力なＭＩＭＯ通信を示すことができ、ほとんど無人であるときに余り強力でない通信を示すことができる。この柔軟性を得るために固定されたハードワイヤのインフラストラクチャを効率的に展開することは難しい可能性があるのに対して、Ｐ−Ｐ ＵＴ通信を使用することにより、この利点は、最小のコストで、当然になる。
【００４４】
情報の中継（例えば、ソースＵＴ１０２からの信号を転送すること）を容易にするために、中継ＵＴ１０６は、アップリンクおよびダウンリンクのデータを受信するのと同様に送信するように構成されていることができる。異なるフレームワークが、このコンフィギュレーションを達成するために使用されることができる。周波数分割二重化(frequency division duplex)（ＦＤＤ）フレームワークにおいては、中継ＵＴ１０６は、アップリンクおよびダウンリンクの周波数を送信することができる。時分割二重化(time division duplex)（ＴＤＤ）フレームワークにおいては、中継ＵＴ１０６は、多重化を利用することができる。複数のＵＴ（１０２、１０６）が、アップリンクおよびダウンリンクのデータを受信するのと同様に送信するように構成されている場合には、ＵＴ（１０２、１０６）は、互いのための中継器としての役割を果たすことができる。
【００４５】
主題の開示のいくつかの態様においては、ＵＴ（１０２、１０６）の間のＰ−Ｐ通信は、そのような通信のためのセキュリティ、エラー訂正などを使用することができる。例えば、暗号化が、ＵＴ（１０２、１０６）の間で送信されるデータを保護するために使用されることができる。いくつかの態様によれば、暗号化は、データを送信するＵＴ（１０２、１０６）だけに知られている秘密鍵でセキュリティ保護されるデータを備えることができる。公開鍵は、データを復号するために、受信するＵＴ（１０２、１０６）によって使用されることができる。受信するＵＴ（１０２、１０６）は、それ故に、公開鍵を用いて適切に復号したすぐ後に、送信されたデータが改ざんされないことを検証すると同様に送信するＵＴの識別情報を検証することができる。他の態様においては、暗号化は、宛先ノード（１０４）だけに知られており、あるいは協力的通信セッションの開始に先立って非協力的に通信される秘密鍵を備えることができる。そのような態様においては、中継ＵＴ１０６によって中継されるデータは、暗号化された形式であり、そして宛先ノード（１０４）によって暗号解読される。
【００４６】
さらに他の態様によれば、Ｐ−Ｐ中継通信は、ワイヤレスリソースを共有することを促進するために公平性原理をインプリメントすることができる。それ故に、例えば、相互主義または他の公平性原理に基づいて中継通信を制限するプロトコルが、使用されることができる。さらに、ユーザは、ユーザのＵＴによって容易にされる中継通信の量に基づいてワイヤレスサービスクレジット(wireless service credits)を提供されることができる。それに応じて、デバイスは、そのようなリソースの適切な交換なしに、中継リソースを過剰に利用することを制限されることができる。さらに、ユーザは、デバイス上での共有を可能とするように動機付けされることができる。
【００４７】
図２は、ＵＴについてのマルチアンテナ通信を容易にするＰ−Ｐ通信を提供する一例のシステム２００のブロック図を示している。システム２００は、Ｐ−Ｐ通信においてデータを交換するように構成された１組のＵＴ２０２、２０４を含んでいる。それに応じて、ＵＴ２０２、２０４は、アップリンクおよびダウンリンクのチャネル上で送信し、そして受信することができる。さらに、ＵＴ２０２、２０４は、Ｐ−Ｐ通信を容易にするタイミングビーコン(timing beacon)（図示されず）によって送信されるタイミングシーケンスを利用することができる。そのようなタイミングビーコンは、ＵＴ２０２、２０４が認識するように構成されている、ワイヤレスチャネル上のタイミングシーケンスを送信する固定されたトランスミッタとすることができる。代わりに、タイミングビーコンは、そのような信号を送信するモバイルトランスミッタを備えることもできる。いくつかの態様においては、タイミングビーコンは、Ｐ−Ｐ通信を容易にするために、ＵＴ２０２、２０４のうちの一方によって送信されることができる。
【００４８】
上記に加えて、システム２００のＵＴ２０２、２０４は、ソースＵＴ２０２と、中継ＵＴ２０４とを備えることができる。ソースＵＴ２０２は、マルチアンテナワイヤレス通信（例えば、ＭＩＳＯ、ＳＩＭＯ、ＭＩＭＯ）に関連する、メモリ２１０に記憶される命令を実行するための１つまたは複数の通信プロセッサ２０６を備えることができる。そのような命令は、中継ＵＴ２０４とのワイヤレス通信チャネル（例えば、Ｐ−Ｐチャネル）を形成することを備えることができる。さらに、命令は、中継パラメータ２１２に基づいてワイヤレスチャネル上で中継リンク２０８を確立することを備えることができる。中継パラメータ２１２と、中継リンク２０８とは、ここにおいて説明されるように、マルチアンテナ通信のために、独立な信号を送信すること、または独立な受信信号を処理すること、を容易にすることができる。
【００４９】
主題の開示の特定の態様によれば、中継パラメータ２１２は、中継ＵＴ２０４のアンテナ２０８Ｂから、ソースＵＴ２０２のアンテナ２０８Ａを区別するインデックスを備えることができる。主題の開示のいくつかの態様においては、中継パラメータ２１２は、マルチアンテナ通信のための、１組のそのようなソースアンテナのうちの個々のソースアンテナ２０８Ａと同様に、１組のそのような中継アンテナのうちの個々の中継アンテナ２０８Ｂを区別する、１組の異なるインデックスを備えることができる。一例として、中継ＵＴ２０４と、ソースＵＴ２０２とが、おのおの一対の送信−受信のアンテナを備える場合、中継パラメータは、中継アンテナ２０８Ｂのおのおのについての、またはソースアンテナ２０８Ａのおのおのについての、あるいはそれら両方の異なるインデックスを確立することができる。
【００５０】
中継パラメータ２１２を利用して、中継ＵＴ２０４は、中継アンテナ２０８Ｂによって送信されるワイヤレスのストリーム、または信号（あるいは、例えば、１組の中継アンテナ２０８Ｂのうちの個々のアンテナによって送信される１組のワイヤレスストリーム）を生成することができる。同様に、ソースＵＴ２０２は、ソースアンテナ２０８Ａ（単数または複数）によって送信される追加ストリーム（単数または複数）を生成するために、中継パラメータ２１２に関連するソースインデックス付けを使用することができる。上記の図１に示されるように、ソースアンテナ２０８Ａと、中継アンテナ２０８Ｂとが、それぞれのストリームの信号波長の実質的に２分の１の距離だけ分離される場合、それらのストリームは、独立であり、そしてＭＩＭＯ−タイプのスループット利得を達成するために利用されることができる。上記に加えて、中継アンテナ２０８Ｂ（単数または複数）は、リモートトランスミッタ（図示されないが、上記の図１の１０４を参照）によって送信されるストリームまたは信号を受信するために、中継パラメータ２１２を使用することができ、そしてソースアンテナ２０８Ａ（単数または複数）は、同様なストリームまたは信号（これは、例えば、リモートトランスミッタのアレイによって送信される同じ送信、または独立した送信とすることができる）を受信するために、そのようなパラメータ２１２を追加して使用することができる。中継ＵＴ２０４によって受信される信号は、マルチアンテナ受信と整合する処理のためにソースＵＴ２０２へと転送されることができる。そのようなアンテナ２０８Ａ、２０８Ｂが、十分な距離のものである場合には、その処理は、ＭＩＳＯ通信またはＭＩＭＯ通信と整合するスループット利得を与えることができる。
【００５１】
中継パラメータ２１２によって提供されるインデックス付けは、マルチアンテナ通信において利用される送信／受信を容易にすることを理解すべきである。例えば、中継ＵＴ２０４は、中継ストリームの信号タイミング、信号周波数、信号フィルタリング、信号圧縮などを生成するためのインデックス特有の命令を使用することができる。特に、中継ＵＴ２０４において中継ストリームを生成するための命令は、中継アンテナ２０８Ｂのために提供されるインデックスから識別されることができる。さらに、ソースＵＴ２０２は、ソースストリームを生成するために、ソースアンテナインデックスによって識別される対応する１組の命令を使用することができる。おのおのがそれぞれの中継命令およびソース命令に従って生成される中継ストリームとソースストリームとの組合せは、マルチアンテナ送信をもたらす。同様に、インデックス特有の命令は、マルチアンテナ受信をもたらすように受信されたワイヤレス信号を処理し、または中継するための中継処理命令とソース処理命令とのそれぞれの組を識別することができる。それに応じて、中継パラメータ２１２のインデックス付けと、インデックス特有の命令とに起因して、それぞれのＰ−Ｐ ＵＴ２０２、２０４は、分散型のマルチアンテナ通信に従事することができ、中央集中された処理が、独立なストリームを生成し、あるいは独立な処理をインプリメントする必要性を回避している。
【００５２】
図３は、主題の開示の態様によるマルチアンテナ通信のためのＰ−Ｐ ＵＴのアレイを提供する一例のシステム３００のブロック図を示している。システム３００は、１組のＵＴ３０４Ａ、３０４Ｂ、３０４Ｃ、３０４Ｄ（３０４Ａ〜３０４Ｄ）を備える分散型のマルチアンテナ（例えば、多入力［ＭＩ］、多出力［ＭＯ］、ＭＩＭＯ）構成を含んでいる。図３の構成は、分散型のマルチアンテナ通信に従事するＵＴを示しているが、図示されるＵＴ（３０４Ａ〜３０４Ｄ）のうちの１つまたは複数は、主題の開示または添付の特許請求の範囲の範囲を逸脱することなく、固定された中継局、基地局、または他の適切なワイヤレストランシーバで置換されることができることを理解すべきである。したがって、主題の開示の少なくとも１つの態様においては、ＵＴ３０４Ａ〜３０４Ｄのうちの１つまたは複数は、固定されたトランシーバのためのマルチアンテナ通信を提供するために固定されたトランシーバ（例えば、宛先トランシーバ３０６）と結合することができる。
【００５３】
ＵＴ３０４Ａ〜３０４Ｄの構成は、１組の中継ＵＴ３０４Ｂ、３０４Ｃ、３０４ＤのおのおのとのＰ−Ｐリンクを有するソースＵＴ３０４Ａを備える。少なくとも１つの代替的な態様においては、ソースＵＴ３０４Ａと、１つまたは複数の中継ＵＴ３０４Ｂ、３０４Ｃ、３０４Ｄとの間の１つまたは複数のＰ−Ｐリンクは、別の中継ＵＴ（３０４Ｂ、３０４Ｃ、３０４Ｄ）、固定された中継器（例えば、宛先トランシーバ３０６）、または基地局（図示されず）などを経由して経路指定される間接リンク（図示されず）とすることができる。いくつかの態様においては、それぞれのＵＴ３０４Ａ〜３０４Ｄは、ネットワーク通信（例えば、宛先トランシーバ３０６との）のためにと同様に、Ｐ−Ｐ通信のために構成されることができる。それに応じて、ＵＴ３０４Ａ〜３０４Ｄは、ワイヤレスリンク（これは、宛先３０６とソースＵＴ３０４Ａとの間のワイヤレスリンクをオプショナルに含むが、図示されてはいない）によって示されるように、宛先トランシーバと、そして破線によって示されるように、少なくともソースＵＴ３０４Ａと、ワイヤレスにデータを交換することができる。いくつかの態様においては、中継ＵＴ３０４Ｂ、３０４Ｃ、３０４Ｄは、さらに、それぞれの中継ＵＴ３０４Ｂ、３０４Ｃ、３０４Ｄの間でワイヤレスにデータを交換することができる。
【００５４】
ソースＵＴ３０４Ａは、構成３０２における各ＵＴ３０４Ａ〜３０４Ｄのアンテナを区別する１組のインデックスパラメータを生成することができる。特に、第１のインデックスは、ソースＵＴ３０４Ａに関連づけられ、第２のインデックスは、中継ＵＴ１３０４Ｂに関連づけられ、第３のインデックスは、中継ＵＴ２３０４Ｃに関連づけられ、そして第Ｎ＋１のインデックスは、中継ＵＴＮ３０４Ｄに関連づけられ、ここでＮは、２より大きな整数である。それぞれのインデックスは、分散構成３０２のそれぞれのノード（３０４Ａ〜３０４Ｄ）に特有のマルチアンテナの送信または受信のためにマルチアンテナ通信命令（例えば、上記の図４を参照）のそれぞれの組を識別するために、関連するＵＴ３０４Ａ〜３０４Ｄによって利用される。したがって、ここにおいて説明されるように、それぞれのＵＴ３０４Ａ〜３０４Ｄは、ソースＵＴ３０４Ａによって開始されるソース信号のそれぞれのバージョンを送信し、あるいは宛先トランシーバ３０６によって開始される宛先信号のそれぞれのバージョンを受信し、または処理することができる。
【００５５】
主題の開示のいくつかの態様によれば、ＵＴ３０４Ａ〜３０４Ｂは、インデックス特有のマルチアンテナ通信命令のスーパーセットをメモリに記憶することができる（例えば、マルチアンテナ通信に関連のあるすべての組を備えており、ここで個々の組は、インデックスによって識別される）。ソースＵＴ３０４Ａからインデックスを受信するとすぐに、中継ＵＴ３０４Ｂ、３０４Ｃ、３０４Ｄは、受信されたインデックスによって識別される適切な１組を選択することができる。他の態様においては、命令のスーパーセットは、マルチアンテナ通信を容易にするために、Ｐ−Ｐリンクがそこで確立された後に、ソースＵＴ３０４Ａによってそれぞれの中継ＵＴ３０４Ｂ、３０４Ｃ、３０４Ｄへと配信されることができる。
【００５６】
図４は、主題の開示の態様による分散型のマルチアンテナの送信または受信をインプリメントするための一例のシステム４００のブロック図を示している。システム４００は、他のワイヤレスノード（図示されず）とのワイヤレス通信のために動作可能なモバイル中継器４０２を備える。そのような他のワイヤレスノードは、ワイヤレスネットワークアクセスポイントなどの固定ノードと、ＵＴなどのモバイルノードと、を備えることができる。
【００５７】
モバイル中継器４０２は、マルチアンテナ通信のための命令を記憶するためのメモリ４０４を備えることができる。それらの命令は、実行されるときに、マルチアンテナの送信または受信を容易にするプロセッサステップを備えることができる。さらに、命令は、ワイヤレス中継構成（例えば、上記の図３を参照）の中の特定のノードにおいて送信または受信をインプリメントするための命令のサブセットを備えることができる。さらに、命令のサブセットは、それぞれのアンテナインデックスに関連づけられることができ、特定のサブセットが、受信、またはそのようなインデックスのモバイル中継器４０２への割当てに基づいて選択されることを可能にする。特に、命令のサブセットは、特定のノードにおいて、ワイヤレス信号の送信または受信のために特定のワイヤレスチャネルを指定することができる。さらに、命令のサブセットは、特定のノードにおいて送信または受信のために使用されるべき１組のチャネルリソースを備えることができる。例えば、そのような命令は、送信または受信のために使用されるべき周波数または波長、タイムスロット、シンボル（例えば、ＯＦＤＭシンボル）の組、送信パワーなどを備えることができる。いくつかの態様においては、命令のサブセットは、特定のノードについての、符号化命令または復号命令、信号フィルタリング命令（例えば、雑音低減のための）、データ圧縮命令、セキュリティ保護通信命令（例えば、セキュリティ保護リンクを確立するための、データを暗号化する／暗号解読するための）、またはデータ検証命令（例えば、エラー訂正、エラー検出、データ確認のためのフィードバックなどを使用するための）など、あるいはそれらの組合せを備えることができる。
【００５８】
したがって、モバイル中継器４０２は、マルチアンテナの送信または受信において、モバイル中継器４０２によって利用されるべき命令のサブセット（単数または複数）を識別するためのインデックスパラメータを得ることができる。いくつかの態様においては、インデックスパラメータは、モバイル中継器４０２とＰ−Ｐリンクを共有するソースノード（図示されず）によって提供される。他の態様においては、インデックスパラメータは、ノードインデックスパラメータを生成し、または配信するように構成された命令の別のサブセットに基づいてモバイル中継器４０２によって生成されることができる。インデックスパラメータを得るとすぐに、次いで、命令のインデックス特有のサブセット（単数または複数）は、送信または受信をインプリメントするために、１つまたは複数のプロセッサ４０６によって識別され、そして実行されることができる。さらに、モバイル中継器４０２は、命令の識別されたサブセット（単数または複数）が、実行されるトラフィックデータを得ることができる。トラフィックデータは、ここにおいて説明されるように、ソースノード（図示されず）によって供給される送信データ、あるいは処理されるべき、またはソースノードへと転送されるべき受信信号、を備えることができる。
【００５９】
図５は、主題の開示の態様をインプリメントするように動作可能なＵＴ５０２を備える一例のシステム５００のブロック図を示している。ＵＴ５０２は、固定された、またはアドホックのワイヤレスネットワークの１つまたは複数のリモートトランシーバ５０４（例えば、アクセスポイント、Ｐ−Ｐパートナー）とワイヤレスに結合するように構成されていることができる。固定されたネットワーク通信では、ＵＴ５０２は、順方向リンクチャネル上で基地局（５０４）からワイヤレス信号を受信し、そして逆方向リンクチャネル上でワイヤレス信号に応答することができる。さらに、Ｐ−Ｐ通信では、ＵＴ５０２は、順方向リンクチャネルまたは逆方向リンクチャネルの上で、リモートＰ−Ｐパートナー（５０４）からワイヤレス信号を受信し、そしてそれぞれ逆方向リンクチャネルまたは順方向リンクチャネルの上でワイヤレス信号に応答することができる。さらに、ＵＴ５０２は、ここにおいて説明されるように、１つまたは複数の他のリモートトランシーバ５０４と一緒にマルチアンテナ通信をインプリメントするためのメモリ５１４に記憶される命令を備えることができる。
【００６０】
ＵＴ５０２は、信号を受信する少なくとも１つのアンテナ５０６（例えば、ワイヤレスの送信／受信インターフェース、または入力／出力インターフェースを備えるそのようなインターフェースのグループ）と、レシーバ５０８（単数または複数）とを含み、このレシーバは、受信信号に対して典型的なアクションを実行する（例えば、フィルタにかけ、増幅し、ダウンコンバートするなどを行う）。一般に、アンテナ５０６と、トランスミッタ５２８と（一括してトランシーバと称される）は、リモートトランシーバ５０４（単数または複数）とのワイヤレスデータ交換を容易にするように構成されていることができる。少なくともいくつかの態様によれば、アンテナ５０６（単数または複数）は、リモートトランシーバ５０４の少なくとも１つのアンテナからアンテナ５０６（単数または複数）を区別するために、１つまたは複数の異なるインデックスパラメータを割り当てられることができる。
【００６１】
アンテナ５０６と、レシーバ５０８（単数または複数）とは、受信シンボルを復調し、そして評価のために処理回路５１２（単数または複数）にそのような信号を供給することができる復調器５１０と結合されることもできる。処理回路５１２（単数または複数）は、ＵＴ５０２の１つまたは複数のコンポーネント（５０６、５０８、５１０、５１４、５１６、５１８、５２０，５２２、５２４、５２６、５２８）を制御し、および／または参照することができることを理解すべきである。さらに、処理回路５１２（単数または複数）は、ＵＴ５０２の実行する機能に関連のある情報または制御を備える１つまたは複数のモジュール、アプリケーション、エンジンなど（５２０、５２２、５２４）を実行することができる。例えば、そのような機能は、アンテナ５０６（単数または複数）についてのインデックスを得ることと、インデックスに関連する１組のマルチアンテナ通信命令を選択することと、を含むことができる。さらに、機能は、ここにおいて説明されるように、リモートトランシーバ５０４とのセキュリティ保護通信をインプリメントすること、マルチアンテナ通信のための適切なチャネルリソースを選択すること、インデックスの交換についてのエラーの訂正または検出を提供すること、Ｐ−Ｐ通信コンフィギュレーションのそれぞれのアンテナ（５０６、２０８Ｂ）についての１つまたは複数の組の命令を構文解析すること、または同様なオペレーションを含むことができる。
【００６２】
さらに、ＵＴ５０２のメモリ５１４は、処理回路５１２（単数または複数）に動作的に結合される。メモリ５１４は、送信され、そして受信されるデータなどと、リモートデバイス（５０４）とのワイヤレス通信を行うのに適した命令と、を記憶することができる。特に、命令は、ここにおいて説明されるように、分散型のマルチアンテナ通信をインプリメントするために利用されることができる。さらに、メモリ５１４は、上記の処理回路５１２（単数または複数）によって実行されるモジュール、アプリケーション、エンジンなど（５２０、５２２、５２４）を記憶することができる。
【００６３】
上記に対してさらに、ＵＴ５０２は、リモートトランシーバ５０４とのセキュリティ保護通信をインプリメントするためのセキュリティモジュール５１６を備えることができる。いくつかの態様においては、セキュリティモジュール５１６は、デジタル証明書に関連する秘密鍵を保持するためのセキュリティ保護ストレージ（secure storage）５１８を備えることができる。秘密鍵は、データの信ぴょう性（authenticity）と完全性（integrity）とを検証するために、メモリ５１４に記憶され、またはＵＴ５０２によって送信されるデータにデジタルに署名するために利用されることができる。他の態様においては、セキュリティ保護ストレージ５１８は、データを暗号化するために利用されることができる、ＵＴ５０２に固有の、または実質的に固有の（例えば、１組のＵＴ、ワイヤレス端末などの間で固有の）機密データを保持することができる。機密データは、さらに、暗号化されたデータを暗号解読するためにセキュリティ保護通信を経由してリモートトランシーバ５０４へと供給されることができる。したがって、例えば、ＵＴ５０２とリモートトランシーバ５０４との間で交換されるトラフィックデータまたはインデックスパラメータは、セキュリティモジュール５１６によって、改ざん、なりすましなどからセキュリティ保護されることができる。
【００６４】
主題の開示の他の態様によれば、ＵＴ５０２は、ここにおいて説明されるように、マルチアンテナ通信をインプリメントするための１組のワイヤレスチャネルリソースを選択するためのリソースモジュール５２０を備えることができる。いくつかの態様においては、選択は、インデックスパラメータに応じて、ＵＴ５０２、あるいはＵＴ５０２の１つまたは複数のアンテナ５０６に割り当てられることができる。さらに、ＵＴ５０２は、リモートトランシーバ５０４とデータを交換する際に、信頼性を提供するエラー訂正モジュール５２２を備えることができる。例えば、エラー訂正モジュール５２２は、リモートトランシーバ５０４へと／から中継パラメータ（例えば、インデックス）を信頼できるように送信し、または受信するために、順方向エラー訂正、エラー検出、またはフィードバックを使用することができる。さらに、ＵＴ５０２は、マルチアンテナの送信または受信をインプリメントする際に、ＵＴ５０２とリモートトランシーバ５０４とのそれぞれのアンテナについてのそれぞれの役割を確立する構文解析モジュール（parsing module）５２４を備えることができる。例えば、それぞれの役割は、ここにおいて説明されるように、異なるアンテナインデックスに関連するマルチアンテナ通信命令のそれぞれのサブセットによって特徴づけられることができる。
【００６５】
図６は、主題の開示の態様による一例のワイヤレス通信システム６００のブロック図を示している。特に、システム６００は、Ｐ−Ｐ通信のために構成された１組のＵＴ６０４についてのマルチアンテナ送信を容易にするように構成された基地局を備えることができる。例えば、基地局６０２は、それぞれのＵＴ６０４、またはそのようなＵＴ６０４のアンテナによってインプリメントされるマルチアンテナ通信命令の組を生成するように構成されていることができる。さらに、命令の組は、異なるインデックスに関連づけられることができる。さらに、それぞれのインデックスは、ここにおいて説明されるように、マルチアンテナ通信をインプリメントする命令のそれぞれの組を識別するためにそれぞれのＵＴ６０４へと（または、例えば、他のそのようなＵＴ６０４への配信のための中継ＵＴ６０４へと）送信されることができる。
【００６６】
基地局６０２（例えば、アクセスポイント、...）は、１つまたは複数の受信アンテナ６０６を通してＵＴ６０４のうちの１つまたは複数からワイヤレス信号を得るレシーバ６１０と、送信アンテナ６０８（単数または複数）を通して１つまたは複数のＵＴ６０４へと変調器６２２によって供給される符号化された／変調されたワイヤレス信号を送信するトランスミッタ６２４と、を備えることができる。レシーバ６１０は、受信アンテナ６０６から情報を得ることができ、そしてＵＴ６０４（単数または複数）によって送信されるアップリンクデータを受信する信号受信側（図示されず）をさらに備えることができる。さらに、レシーバ６１０は、受信情報を復調する復調器６１２に動作的に関連づけられる。復調されたシンボルは、通信プロセッサ６１４によって分析される。通信プロセッサ６１４は、基地局６０２によって提供され、またはインプリメントされる機能に関連した情報を記憶するメモリ６１６に結合される。一例においては、記憶情報は、ワイヤレス信号を構文解析し、そして基地局６０２の順方向リンク送信と、ＵＴ６０４（単数または複数）の逆方向リンク送信とをスケジュールするためのプロトコルを備えることができる。
【００６７】
少なくとも１つの態様においては、基地局６０２は、ＵＴ（６０４）と、ＵＴ（６０４）の少なくとも１つのＰ−Ｐパートナー（６０４）とを識別するデータを得ることができる。基地局６０２は、ＵＴとＰ−Ｐパートナーとについてのマルチアンテナ通信のための分散処理を容易にするインデックスパラメータを生成する分散型制御モジュール６１８を使用することができる。例えば、インデックスパラメータは、ＵＴ（６０４）とＰ−Ｐパートナー（６０４）とを、あるいはそれらのそれぞれのアンテナを区別することができる。さらに、インデックスパラメータは、ＵＴ（６０４）とＰ−Ｐパートナー（６０４）とによりマルチアンテナ通信をインプリメントするように設計されたＭＩＭＯコンフィギュレーション命令６２８のサブセットに関連づけられることができる。基地局６０２は、メモリ６１６に、あるいはセキュリティ保護リンク(secure link)によって基地局６０２と結合された外部データベース６２６に、命令（例えば、ＭＩＭＯコンフィギュレーション命令６２８と、アンテナインデックス６３０とを含む）を記憶することができる。基地局６０２は、そのような情報（６２８、６３０）を供給するためにＵＴ（６０４）によって必要とされるような命令６２８とインデックス６３０とにアクセスすることができる。したがって、基地局６０２は、Ｐ−Ｐ ＵＴ６０４についてのネットワーク支援ＭＩＭＯ通信をインプリメントすることができ、ここで少なくとも１つのそのようなＵＴ６０４は、基地局６０２とワイヤレスに結合される。
【００６８】
上記システムは、いくつかのコンポーネント、モジュール、および／または通信インターフェースの間の相互作用に関して説明されている。そのようなシステムとコンポーネント／モジュール／インターフェースとは、そこで指定されるこれらのコンポーネントもしくはサブコンポーネント、指定されたコンポーネントもしくはサブコンポーネントのうちのいくつか、および／または追加のコンポーネント、を含むことができることを理解すべきである。例えば、システムは、ソースＵＴ２０２、中継ＵＴ２０４、基地局６０２およびデータベース６２６、あるいはこれらまたは他のコンポーネントの異なる組合せ、を含むことができる。サブコンポーネントは、親コンポーネント内に含まれるのでなく、他のコンポーネントに通信的に結合されるコンポーネントとしてインプリメントされることもできる。さらに、１つまたは複数のコンポーネントが、集約機能を提供する単一のコンポーネントに組み合わされることができることに注意すべきである。例えば、セキュリティモジュール５１６は、単一コンポーネントを経由してセキュリティ保護通信とエラー訂正とを容易にするエラー訂正モジュール５２２を含むことができ、あるいは逆もまた同様である。それらのコンポーネントは、特にここにおいて説明されてはいないが、当業者によって知られている１つまたは複数の他のコンポーネントと、相互作用することもできる。
【００６９】
さらに、理解されるように、開示された上記システムと下記方法との様々な部分は、人工知能、あるいは知識ベースまたはルールベースのコンポーネント、サブコンポーネント、プロセス、手段、方法、またはメカニズム（例えば、サポートベクトル機械、ニューラルネットワーク、エキスパートシステム、ベイジアン信念ネットワーク(Bayesian belief networks)、ファジー論理、データ融合エンジン(data fusion engines)、分類子(classifiers)...）を含むことができ、あるいはそれらから構成されることができる。そのようなコンポーネントは、とりわけ、そしてここにおいて既に説明されたものに加えて、それによってシステムおよび方法の一部分をより適応可能、ならびに効率的および知的にするように実行されるある種のメカニズムまたはプロセスを自動化することができる。
【００７０】
上記に説明される例示のシステムを考慮して、開示された主題に従ってインプリメントされることができる方法は、図７〜９のフローチャートを参照してよりよく理解されるであろう。説明を簡単にする目的のために、方法は、一連のブロックとして示され、そして説明されるが、いくつかのブロックは、ここにおいて図示され、説明されるものとは異なる順序で、および／または、他のブロックと同時に、起こることができるので、特許請求の範囲の主題は、それらのブロックの順序によっては限定されないことを理解し、そして認識すべきである。さらに、必ずしもすべての例示のブロックが、以下で説明される方法をインプリメントするために必要とされる可能性があるとは限らない。さらに、以下で、そしてこの明細書全体を通して開示される方法は、コンピュータに対してそのような方法を移送することと、転送することとを容易にするために、製造の物品上に記憶されることができることをさらに理解すべきである。製造の物品という用語は、使用されるように、任意のコンピュータ読取り可能デバイス、キャリアに関連したデバイス、またはストレージ媒体からアクセス可能なコンピュータプログラムを包含するように意図される。
【００７１】
図７は、Ｐ−Ｐワイヤレス環境におけるマルチアンテナ通信のための分散処理を提供するための一例の方法７００のフローチャートを示している。７０２において、方法７００は、ＵＴの通信インターフェースと、リモートＵＴとの間にワイヤレスチャネルを形成するために少なくとも１つの通信プロセッサを使用することができる。７０４において、方法７００は、中継パラメータに基づいてワイヤレスチャネル上で中継リンクを確立することができる。特に、中継パラメータは、ＵＴの、またはリモートＵＴのアンテナにインデックスを付けることができる。そのようなインデックス付けは、ここにおいて説明されるように、ＭＩＳＯコンフィギュレーション、ＳＩＭＯコンフィギュレーション、またはＭＩＭＯコンフィギュレーションにおいて、信号を送信し、または受信するための命令のそれぞれの組を識別することにより、分散型のマルチアンテナの送信または受信を容易にすることができる。
【００７２】
７０６において、方法７００は、ＵＴにおいて分散型のマルチアンテナ通信をインプリメントするために中継パラメータを使用することができる。例えば、中継パラメータによってＵＴのアンテナに割り当てられるインデックスは、アンテナについての１組の通信命令を選択するために利用されることができる。命令の選択された組をインプリメントすることにより、ＵＴは、リモートＵＴから独立した複数のＳＩＭＯ送信またはＭＩＭＯ送信のうちの１つを生成し、あるいはリモートＵＴから独立した複数のＭＩＳＯ受信信号またはＭＩＭＯ受信信号のうちの１つを受信し、または処理することができる。７０８において、方法７００は、マルチアンテナ通信を容易にするために、あるいはＵＴとリモートＵＴとの間の後続のそのような通信を容易にするために、中継パラメータをメモリにオプショナルに記憶することができる。
【００７３】
図８は、主題の開示の追加の態様による分散型のマルチアンテナ通信を提供するための一例の方法８００のフローチャートを示している。８０２において、方法８００は、ＵＴとリモート端末との間にＰ−Ｐワイヤレスリンクを確立することができる。８０４において、方法８００は、リモート端末に対して識別するインデックスを提供することができ、ＵＴ、またはＵＴのアンテナ（単数または複数）からそれらの端末、またはアンテナ（単数または複数）を区別する。いくつかの態様においては、８０６において、方法８００は、リモート端末に対して識別するインデックスをプロビジョニング（provision）する際に、エラー検出、エラー訂正、またはフィードバックを使用することができる。そのようなプロビジョニングは、インデックスの正確な交換を容易にし、あるいは例えば、インデックスを再送信するそのようなプロビジョニングにおいて、エラーを検出する助けをする。
【００７４】
８０８において、方法８００は、インデックス特有の分散型のマルチアンテナ通信命令を得ることができる。インデックス特有の命令は、リモート端末に提供される識別するインデックスに基づいたもの（例えば、識別するインデックスに相関しない１組の命令）、またはＵＴに割り当てられる異なるインデックスに基づいたものとすることができる。８１０において、方法８００は、インデックスとインデックス特有の命令とに基づいてＵＴについての送信パラメータ、または受信パラメータを計算することができる。８１２において、方法８００は、ＵＴについてのマルチアンテナ送信ストリームを生成することができる。８１４において、方法８００は、インデックスに基づいてＵＴについてのチャネルリソースを選択することができる。そのようなチャネルリソースは、例えば、ＵＴと、リモートＵＴとによって送信される信号の間の干渉を回避するために、識別するインデックスに基づいたＵＴのために割り当てられるリソースと相補的とすることができる。８１６において、方法８００は、選択されたリソース上で計算されたストリームを送信することができる。
【００７５】
８１８において、方法８００は、ＵＴについての信号処理を計算するために、インデックス、またはＵＴに割り当てられる関連したインデックスを使用することができる。８２０において、方法８００は、計算された信号処理を用いて受信トラフィックを分析することができる。そのような分析は、信号を転送すること、信号を復号することおよび送信のための信号から抽出されるデータを符号化すること、信号をフィルタにかけること、信号を圧縮すること、信号を増幅すること、信号を暗号化することまたは暗号解読することなど、あるいはそれらの組合せ、を備えることができる。８２２において、方法８００は、リモート端末から対応する受信信号トラフィックデータを得ることができる。８２４において、方法８００は、例えば、リモート端末から得られる分析された受信トラフィックと、対応する受信信号トラフィックとを適切に処理することにより、交換に基づいてＯＦＤＭ信号利得をインプリメントすることができる。
【００７６】
図９は、主題の開示のさらなる態様によるＰ−Ｐ ＵＴについてのマルチアンテナワイヤレス通信のための分散処理を容易にするための一例の方法９００のフローチャートを示している。９０２において、方法９００は、ＵＴと、ＵＴのＰ−Ｐパートナーとを識別するデータを得ることができる。９０４において、方法９００は、ＵＴと、Ｐ−Ｐパートナーとについての分散型のマルチアンテナ通信を容易にするインデックスパラメータを生成することができる。９０６において、方法９００は、ＵＴと、Ｐ−Ｐパートナーとにおける通信の独立なインプリメンテーションのためのそれぞれの命令にそれぞれのインデックスパラメータをマッピングすることができる。９０８において、方法９００は、通信をインプリメントする際に使用されるべき、ＵＴと、Ｐ−Ｐパートナーとについてのそれぞれのワイヤレスチャネルとリソースとを識別することができる。９１０において、方法９００は、インデックスパラメータ、命令、または識別されたチャネルおよびリソースをＵＴまたはＰ−Ｐパートナーへと転送することができる。そのようなパラメータと、命令と、チャネル／リソースとに基づいて、ＵＴと、Ｐ−Ｐパートナーとは、アウトバウンド信号を独立に処理し、そして送信し、あるいは分散型処理構成でマルチアンテナ通信をインプリメントするためにインバウンドワイヤレス信号を独立に受信し、処理し、または交換することができる。
【００７７】
図１０および１１は、主題の開示の態様による１組のＰ−Ｐモバイル端末についてのＭＩＭＯ通信、ＳＩＭＯ通信、またはＭＩＳＯ通信をインプリメントするために、分散処理をそれぞれ使用すること、および容易にすることのための一例のシステム１０００、１１００のブロック図を示している。例えば、システム１０００および１１００は、ワイヤレス通信ネットワーク内に、および／またはノード、基地局、アクセスポイント、ユーザ端末、モバイルインターフェースカードなどと結合されたパーソナルコンピュータなどのトランスミッタ内に、少なくとも部分的に存在することができる。システム１０００および１１００は、機能ブロックを含むように表され、これらの機能ブロックは、プロセッサ、ソフトウェア、またはそれらの組合せ（例えば、ファームウェア）によってインプリメントされる機能を表す機能ブロックとすることができることを理解すべきである。
【００７８】
システム１０００は、１組のそのようなノードのうちの特定のノードのために構成されるマルチアンテナワイヤレス通信命令をインプリメントするためにプロセッサを使用するためのモジュール１００２を備えることができる。例えば、ノードは、その組の他のノードとワイヤレスに結合されたＵＴとすることができる。さらに、システム１０００は、そのようなノードのアドホックネットワークを形成するために、その組のノードと、１つまたは複数の他のそのようなノードとの間にワイヤレスチャネルを形成する際にプロセッサを使用するためのモジュール１００４を備えることができる。さらに、システム１０００は、マルチアンテナワイヤレス通信のための分散処理を可能にするためにワイヤレスチャネル上で中継器を形成するためのモジュール１００６を備えることができる。例えば、ワイヤレスチャネルは、ノードが、トラフィックデータを共有することを可能にすることができる。結果として、さらなるモジュール１００８は、分散処理をインプリメントするためにトラフィックデータの送信を独立して計算することができる。追加のノードがまた、トラフィックデータについての送信を独立して計算する場合には、アドホックネットワークは、ＳＩＭＯ送信またはＭＩＭＯ送信を生成することができる。さらに、トラフィックデータの共有は、独立な受信、処理、または受信された送信の転送を容易にすることができ、アドホックネットワークについてのＭＩＳＯ受信またはＭＩＭＯ受信をもたらす。
【００７９】
システム１１００は、ＵＴと、ＵＴのＰ−Ｐパートナーとを識別するデータを得るためのモジュール１１０２を備えることができる。さらに、システム１１００は、ＵＴと、Ｐ−Ｐパートナーとについての異なる通信インデックスパラメータを生成するためのモジュール１１０４を備えることができる。インデックスパラメータは、Ｐ−Ｐパートナーの対応するアンテナからＵＴのアンテナを区別するために使用されることができる。さらに、インデックスパラメータは、ＵＴと、Ｐ−Ｐパートナーとにおいてそれぞれワイヤレス送信を生成し、あるいはワイヤレス送信を受信し、そして処理するための命令のそれぞれの組に関連づけられることができる。それぞれのインデックスパラメータを使用することにより、ＵＴと、Ｐ−Ｐパートナーとは、ＳＩＭＯ通信、ＭＩＳＯ通信、またはＭＩＭＯ通信をインプリメントするために命令のそれぞれの組を識別し、そしてこれらの命令を独立して処理することができる。パラメータを搬送するために、システム１１００は、ＵＴまたはＰ−Ｐパートナーへとパラメータを、そしてオプショナルに命令を転送するためのモジュール１１０６を備えることができる。
【００８０】
図１２は、ここにおいて開示されるいくつかの態様による、アドホックワイヤレス通信を容易にすることができる一例のシステム１２００のブロック図を示している。ワイヤレス端末１２０５において得られる同期化タイミング信号（例えば、タイミングビーコン−図示されずによって送信される）のタイミングシーケンスに基づいて、送信（ＴＸ）データプロセッサ１２１０は、トラフィックデータを受信し、フォーマットし、符号化し、インターリーブし、そして変調し（またはシンボルマッピングし）、そして変調シンボル（「データシンボル」）を供給する。シンボル変調器１２１５は、データシンボルとパイロットシンボルとを受信し、そして処理し、そしてシンボルのストリームを供給する。シンボル変調器１２１５は、データと、パイロットシンボルとを多重化し、そしてそれらをトランスミッタユニット（ＴＭＴＲ）１２２０へと供給する。各送信シンボルは、データシンボル、パイロットシンボル、またはゼロの信号値とすることができる。
【００８１】
ＴＭＴＲ１２２０は、ワイヤレスチャネル上での送信のために適切な送信信号を生成するために、シンボルのストリームを受信し、そしてそれを１つまたは複数のアナログ信号へと変換し、そしてさらに、それらのアナログ信号を調整する（例えば、増幅し、フィルタにかけ、そして周波数アップコンバートする）。次いで、送信信号は、アンテナ１２２５を通して、リモート端末（１２３０）（単数または複数）または他のピアツーピアパートナーへと送信される。ワイヤレス端末１２３０においては、やはり同期化信号のタイミングシーケンスに基づいて、アンテナ１２３５は、ＴＭＴＲ１２２０によって送信される送信信号を受信し、そして受信信号をレシーバユニット（ＲＣＶＲ）１２４０へと供給する。レシーバユニット１２４０は、受信信号を調整し（例えば、フィルタにかけ、増幅し、そして周波数ダウンコンバートし）、そしてサンプルを得るために調整された信号をデジタル化する。シンボル復調器１２４５は、チャネル推定のために、受信パイロット信号を復調し、そしてプロセッサ１２５０へと供給する。シンボル復調器１２４５は、さらに、プロセッサ１２５０からダウンリンクのための周波数応答推定値（frequency response estimate）を受信し、データシンボル推定値（data symbol estimates）（これは送信されたデータシンボルの推定値（estimates）である）を得るために受信データシンボル上でデータ復調を実行し、そしてデータシンボル推定値をＲＸデータプロセッサ１２５５へと供給し、このＲＸデータプロセッサは、送信されたトラフィックデータを回復するためにデータシンボル推定値を復調し（例えば、シンボルデマッピングし）、デインターリーブし、そして復号する。シンボル復調器１２４５と、ＲＸデータプロセッサ１２５５とによる処理は、ワイヤレス端末１２０５におけるそれぞれシンボル変調器１２１５と、ＴＸデータプロセッサ１２１０とによる処理と相補的である。
【００８２】
ワイヤレス端末１２３０上で、ＴＸデータプロセッサ１２６０は、トラフィックデータを処理し、そしてデータシンボルを供給する。シンボル変調器１２６５は、データシンボルを受信し、そしてデータシンボルをパイロットシンボルと多重化し、変調を実行し、そしてシンボルのストリームを供給する。次いで、トランスミッタユニット１２７０は、信号を生成するためにシンボルのストリームを受信し、そして処理し、この信号は、アンテナ１２３５によってワイヤレス端末１２０５へと送信される。
【００８３】
ワイヤレス端末１２０５において、端末１２３０からの信号は、アンテナ１２２５によって受信され、そしてサンプルを得るようにレシーバユニット１２７５によって処理される。次いで、シンボル復調器１２８０は、サンプルを処理し、そして通信チャネルについての受信されたパイロットシンボル、およびデータシンボルの推定値を供給する。ＲＸデータプロセッサ１２８５は、端末１２３０によって送信されるトラフィックデータを回復するためにデータシンボル推定値を処理する。プロセッサ１２９０は、通信チャネル上で送信する各アクティブピアツーピアパートナーについてのチャネル推定を実行する。複数の端末は、ピアツーピアチャネル上で、またはそれらのそれぞれの組のピアツーピアチャネルサブバンド上で同時にパイロットを送信することができ、ここでピアツーピアチャネルサブバンドの組は、インターレースされることができる。
【００８４】
プロセッサ１２９０と１２５０とは、それぞれ端末１２０５と端末１２３０とにおいて、オペレーションを指示する（例えば、制御し、調整し、管理するなどを行う）。それぞれのプロセッサ１２９０および１２５０は、プログラムコードとデータとを記憶するメモリユニット（図示されず）に関連づけられることができる。プロセッサ１２９０および１２５０は、それぞれ通信チャネルについての周波数およびインパルス応答の推定値を導き出すために計算を実行することもできる。
【００８５】
システム１２００について説明される技法は、様々な手段によってインプリメントされることができる。例えば、これらの技法は、ハードウェア、ソフトウェア、またはそれらの組合せの形でインプリメントされることができる。デジタル、アナログ、またはデジタルとアナログとの両方とすることができるハードウェアインプリメンテーションでは、チャネル推定のために使用される処理装置は、ここにおいて説明される機能を実行するように設計された１つまたは複数の特定用途向け集積回路(application specific integrated circuits)（ＡＳＩＣ）、デジタル信号プロセッサ(digital signal processors)（ＤＳＰ）、デジタル信号処理デバイス(digital signal processing devices)（ＤＳＰＤ）、プログラマブル論理デバイス(programmable logic devices)（ＰＬＤ）、フィールドプログラマブルゲートアレイ(field programmable gate arrays)（ＦＰＧＡ）、プロセッサ、コントローラ、マイクロコントローラ、マイクロプロセッサ、他の電子ユニット、あるいはそれらの組合せの内部にインプリメントされることができる。ソフトウェアでは、インプリメンテーションは、ここにおいて説明される機能を実行するモジュール（例えば、プロシージャ、ファンクションなど）を通したものとすることができる。ソフトウェアコードは、メモリユニットに記憶され、そしてプロセッサ１２９０および１２５０によって実行されることができる。
【００８６】
図１３は、１つまたは複数の態様と一緒に利用されることなどができる、複数の基地局(base stations)（ＢＳ）１３１０（例えば、ワイヤレスアクセスポイント）と、複数の端末１３２０（例えば、ＵＴ）とを有するワイヤレス通信システム１３００を示している。ＢＳ（１３１０）は、一般に、端末と通信する固定局であり、そしてアクセスポイント、ノードＢ、または何らかの他の専門用語と呼ばれることもできる。各ＢＳ１３１０は、１３０２ａ、１３０２ｂ、および１３０２ｃとラベル付けされる、図１３の中の３つの地理的エリアとして示される特定の地理的エリア、またはカバレージエリアのための通信カバレージを提供する。用語「セル」は、その用語が使用される文脈に応じてＢＳまたはそのカバレージエリアを意味することができる。システム容量を改善するために、ＢＳの地理的エリア／カバレージエリアは、複数のより小さなエリア（例えば、図１３の中のセル１３０２ａによる３つのより小さなエリア）１３０４ａ、１３０４ｂ、および１３０４ｃへと分割されることができる。より小さな各エリア（１３０４ａ、１３０４ｂ、１３０４ｃ）は、それぞれの基地トランシーバサブシステム(base transceiver subsystem)（ＢＴＳ）によってサーブ（serve）されることができる。用語「セクタ」は、その用語が使用される文脈に応じてＢＴＳまたはそのカバレージエリアを意味することができる。セクタ化されたセルでは、そのセルのすべてのセクタについてのＢＴＳは、一般的に、セルについての基地局内に共通に配置される。ここにおいて説明される送信技法は、セクタ化されていないセルを有するシステムと同様にセクタ化されたセルを有するシステムのために使用されることができる。主題の説明において簡単にするために、それ以外に指定されない限り、用語「基地局」は、包括的に、セクタをサーブする固定局、ならびにセルをサーブする固定局のために使用される。
【００８７】
端末１３２０は、一般的に、システム全体を通して分散され、そして各端末１３２０は、固定され、またはモバイルとすることができる。端末１３２０は、ここにおいて説明されるように、移動局、ユーザ装置、ユーザデバイス、または何らかの他の専門用語と呼ばれることもできる。端末１３２０は、ワイヤレスデバイス、セルラ電話、携帯型個人情報端末(personal digital assistant)（ＰＤＡ）、ワイヤレスモデムカードなど、とすることができる。各端末１３２０は、与えられた任意の瞬間にダウンリンク（例えば、ＦＬ）とアップリンク（例えば、ＲＬ）との上で、ゼロ個、１つ、または複数のＢＳ１３１０と通信することができる。ダウンリンクは、基地局から端末への通信リンクを意味し、そしてアップリンクは、端末から基地局への通信リンクを意味する。
【００８８】
中央集中されたアーキテクチャでは、システムコントローラ１３３０は、基地局１３１０に結合し、そしてＢＳ１３１０についての調整と制御とを提供する。分散アーキテクチャでは、ＢＳ１３１０は、必要に応じて互いと通信することができる（例えば、ＢＳ１３１０に通信的に結合する有線またはワイヤレスのバックホールネットワーク(backhaul network)を経由して）。順方向リンク上のデータ送信は、多くの場合に、１つのアクセスポイントから１つのアクセス端末へと、順方向リンクまたは通信システムによってサポートされることができる最大のデータレートで、またはその近くで起こる。順方向リンクの追加チャネル（例えば、制御チャネル）は、複数のアクセスポイントから１つのアクセスポイントへと送信されることができる。逆方向リンクデータ通信は、１つのアクセス端末から１つまたは複数のアクセスポイントへと起こることができる。
【００８９】
図１４は、様々な態様に従う、計画された、または半分計画されたワイヤレス通信環境１４００の説明図である。システム１４００は、互いに、および／または１つまたは複数のモバイルデバイス１４０４に対するワイヤレス通信信号を受信し、送信し、反復するなどを行う１つまたは複数のセルおよび／またはセクタの中に、１つまたは複数のＢＳ１４０２を備えることができる。図に示されるように、各ＢＳ１４０２は、１４０６ａ、１４０６ｂ、１４０６ｃおよび１４０６ｄとラベル付けされる４つの地理的エリアとして示される特定の地理的エリアのための通信カバレージを提供することができる。当業者によって理解されるであろうように、各ＢＳ１４０２は、トランスミッタチェーンとレシーバチェーンとを備えることができ、これらのチェーンのおのおのは、次には、信号の送信および受信に関連する複数のコンポーネント（例えば、プロセッサ、変調器、マルチプレクサ、復調器、デマルチプレクサ、アンテナなど、図６を参照）を備えることができる。モバイルデバイス１４０４は、例えば、セルラ電話、スマートフォン、ラップトップ、ハンドヘルド通信デバイス、ハンドヘルドコンピューティングデバイス、衛星無線、全地球測位システム、ＰＤＡ、および／またはワイヤレスネットワーク１４００上で通信するための他の適切な任意のデバイス、とすることができる。システム１４００は、ここにおいて説明されるように、ワイヤレス通信環境（１３００）における同期化ワイヤレス信号送信を提供すること、および／または利用すること、を容易にするために、ここにおいて説明される様々な態様と一緒に使用されることができる。
【００９０】
主題の開示において使用されるように、「コンポーネント」、「システム」、「モジュール」などの用語は、ハードウェア、ソフトウェア、実行中のソフトウェア、ファームウェア、ミドルウェア、マイクロコード、および／またはそれらの任意の組合せのいづれであっても、コンピュータに関連したエンティティを意味するように意図される。例えば、モジュールは、それだけには限定されないが、プロセッサ上で実行されるプロセス、プロセッサ、オブジェクト、実行形式(executable)、実行スレッド(thread of execution)、プログラム、デバイス、および／またはコンピュータとすることができる。１つまたは複数のモジュールは、プロセス、または実行スレッドの内部に存在することができ、そしてモジュールは、１つの電子デバイス上に局所化され、または２つ以上の電子デバイスの間に分散されることもできる。さらに、これらのモジュールは、様々なデータ構造がその上に記憶されている様々なコンピュータ読取り可能媒体から実行することもできる。モジュールは、１つまたは複数のデータパケット（例えば、ローカルシステム、分散システムにおける別のコンポーネントと、またはインターネットなどのネットワークを通して信号を経由して他のシステムと、相互作用する１つのコンポーネントからのデータ）を有する信号などに従って、ローカルまたはリモートのプロセスを経由して通信することができる。さらに、ここにおいて説明されるシステムのコンポーネントまたはモジュールは、それに関して説明される様々な態様、目標、利点などを達成することを容易にするために、追加のコンポーネント／モジュール／システムによって再構成され、または補完されることができ、そして当業者によって理解されるであろうように、与えられた図面の中で述べられる厳密なコンフィギュレーションだけには限定されない。
【００９１】
さらに、様々な態様が、ＵＴに関連してここにおいて説明される。ＵＴは、システム、加入者ユニット、加入者局、移動局、モバイル、モバイル通信デバイス、モバイルデバイス、リモート局、リモート端末、アクセス端末(access terminal)（ＡＴ）、ユーザエージェント(user agent)（ＵＡ）、ユーザデバイス、またはユーザ装置(user equipment)（ＵＥ）と呼ばれることもできる。加入者局は、セルラ電話、コードレス電話、セッション開始プロトコル(Session Initiation Protocol)（ＳＩＰ）電話、ワイヤレスローカルループ(wireless local loop)（ＷＬＬ）局、携帯型個人情報端末（ＰＤＡ）、ワイヤレス接続機能を有するハンドヘルドデバイス、あるいは処理デバイスとのワイヤレス通信を容易にするワイヤレスモデムまたは類似したメカニズムに接続された他の処理デバイス、とすることができる。
【００９２】
１つまたは複数の例示の実施形態においては、説明される機能は、ハードウェア、ソフトウェア、ファームウェア、ミドルウェア、マイクロコード、またはそれらの適切な任意の組合せの形でインプリメントされることができる。ソフトウェアの形でインプリメントされる場合、それらの機能は、コンピュータ読取り可能媒体上に１つまたは複数の命令またはコードとして記憶され、あるいはその上で送信されることができる。コンピュータ読取り可能媒体は、ある場所から別の場所へのコンピュータプログラムの転送を容易にする任意の媒体を含めて、コンピュータストレージ媒体と、通信媒体との両方を含んでいる。ストレージ媒体は、コンピュータによってアクセスされることができる任意の物理媒体とすることができる。例として、限定するものではないが、そのようなコンピュータストレージ媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、スマートカード、およびフラッシュメモリデバイス（例えば、カード、スティック、キードライブ...）、あるいは命令またはデータ構造の形態で望ましいプログラムコードを搬送し、または記憶するために使用されることができ、そしてコンピュータによってアクセスされることができる他の任意の媒体、を備えることができる。例えば、ソフトウェアが、同軸ケーブル、光ファイバケーブル、ツイストペア(twisted pair)、デジタル加入者回線（ＤＳＬ）、または赤外線、無線、マイクロ波などのワイヤレス技術を使用して、ウェブサイト、サーバ、または他のリモートソースから送信される場合、そのときには同軸ケーブル、光ファイバケーブル、ツイストペア、ＤＳＬ、または赤外線、無線、マイクロ波などのワイヤレス技術は、媒体の定義の中に含まれる。ここにおいて使用されるようなディスク(Disk)およびディスク(disc)は、コンパクトディスク(compact disc)（ＣＤ）、レーザーディスク（登録商標）(laser disc)、光ディスク(optical disc)、デジタル多用途ディスク(digital versatile disc)（ＤＶＤ）、フロッピー（登録商標）ディスク(floppy（登録商標） disk)、およびブルーレイディスク(blu-ray disc)を含み、ここでディスク(disks)は通常、データを磁気的に再生するが、ディスク(discs)は、レーザを用いて光学的にデータを再生する。上記の組合せもまた、コンピュータ読取り可能媒体の範囲内に含められるべきである。
【００９３】
ハードウェアインプリメンテーションでは、ここにおいて開示される態様に関連して説明される処理装置の様々な例示の論理と、論理ブロックと、モジュールと、回路とは、ここにおいて説明される機能を実行するように設計された１つまたは複数のＡＳＩＣ、ＤＳＰ、ＤＳＰＤ、ＰＬＤ、ＦＰＧＡ、ディスクリートのゲートまたはトランジスタ論理、ディスクリートハードウェアコンポーネント、汎用プロセッサ、コントローラ、マイクロコントローラ、マイクロプロセッサ、他の電子ユニット、あるいはそれらの組合せの内部にインプリメントされ、または実行されることができる。汎用プロセッサは、マイクロプロセッサとすることができるが、代替案においては、プロセッサは、従来の任意のプロセッサ、コントローラ、マイクロコントローラ、または状態マシーンとすることもできる。プロセッサはまた、コンピューティングデバイスの組合せとして、例えば、ＤＳＰとマイクロプロセッサとの組合せ、複数のマイクロプロセッサ、ＤＳＰコアと組み合わされた１つまたは複数のマイクロプロセッサ、あるいは他の適切な任意のコンフィギュレーションとしてインプリメントされることもできる。さらに、少なくとも１つのプロセッサは、ここにおいて説明されるステップおよび／またはアクションのうちの１つまたは複数を実行するように動作可能な１つまたは複数のモジュールを備えることができる。
【００９４】
さらに、ここにおいて説明される様々な態様または特徴は、標準のプログラミング技法および／またはエンジニアリング技法を使用した方法、装置、または製造の物品としてインプリメントされることができる。さらに、ここにおいて開示される態様に関連して説明される方法またはアルゴリズムについてのステップおよび／またはアクションは、ハードウェアの形で直接に、プロセッサによって実行されるソフトウェアモジュールの形で、あるいはそれら２つの組合せの形で実施されることができる。さらに、いくつかの態様においては、方法またはアルゴリズムについてのステップまたはアクションは、機械読取り可能媒体、またはコンピュータ読取り可能媒体の上のコードまたは命令のうちの少なくとも１つ、あるいは任意の組合せまたは組として存在することができ、この媒体は、コンピュータプログラムプロダクト(computer program product)の中に組み込まれることができる。ここにおいて使用されるような用語「製造の物品」は、適切な任意のコンピュータ読取り可能デバイス、またはコンピュータ読取り可能媒体からアクセス可能なコンピュータプログラムを包含するように意図される。
【００９５】
さらに、言葉「例示の(exemplary)」は、ここにおいては、１つの例(example)、インスタンス(instance)、または例証(illustration)としての役割を果たすことを意味するように使用される。ここにおいて「例示の」として説明されるどのような態様または設計も、必ずしも他の態様または設計よりも好ましい、あるいは有利であると解釈されるべきであるとは限らない。もっと正確に言えば、例示のという言葉の使用は、具体的なやり方（concrete fashion）で概念を提示するように意図される。本願において使用されるように、用語「論理和(or)」は、排他的「論理和」ではなくて、包含的「論理和」を意味するように意図される。すなわち、別の方法で指定されない限り、あるいは文脈から明らかでない限り、「Ｘは、ＡまたはＢを使用する(X employs A or B)」は、普通の包含的な置換のうちの任意のものを意味するように意図される。すなわち、Ｘは、Ａを使用する、Ｘは、Ｂを使用する、あるいはＸは、ＡとＢとの両方を使用する、である場合、そのときには「Ｘは、ＡまたはＢを使用する」は、上記のインスタンスのうちのどれの下でも満たされる。さらに、本願と、添付の特許請求の範囲とにおいて使用されるような冠詞「１つの(a)」および「１つの(an)」は、単数形に指示されるように別の方法で指定されない限り、あるいは文脈から明らかでない限り、一般に、「１つまたは複数(one or more)」を意味するように解釈されるべきである。
【００９６】
さらに、ここにおいて使用されるように、用語「推測する(infer)」または「推論する(inference)」ことは、一般にイベントまたはデータを経由して取り込まれるような１組の観察からシステム、環境、またはユーザの状態について推論するプロセス、またはそれらの状態を推測するプロセスを意味する。推論は、特定のコンテキストまたはアクションを識別するために使用されることができ、あるいは例えば状態の上での確率分布を生成することができる。推論は、確率論的であり、すなわちデータおよびイベントの考察に基づいた関心のある状態の上での確率分布の計算とすることができる。推論はまた、１組のイベントまたはデータから、より高レベルのイベントを構成するために使用される技法を意味することもできる。そのような推論は、それらのイベントが、時間的に近接して相関づけられても相関づけられなくても、そしてそれらのイベントおよびデータが、１つまたは複数のイベントおよびデータのソースに由来していようと、１組の観察されたイベントおよび／または記憶されたイベントデータから新しいイベントまたはアクションの構築をもたらす。
【００９７】
上記で説明されているものは、特許請求の範囲の主題の態様の例を含んでいる。特許請求の範囲の主題を説明する目的のためにコンポーネントまたは方法のあらゆる考えられる組合せについて説明することは、もちろん可能ではないが、当業者は、開示された主題の多数のさらなる組合せおよび置換が可能であることを認識することができる。したがって、開示された主題は、添付の特許請求の範囲の精神および範囲の内部に含まれるすべてのそのような変更、修正、および変形を包含するように意図される。さらに、用語「含む(includes)」、「有する(has)」、または「有している(having)」が、詳細な説明または特許請求の範囲のいずれかの中で使用される限りでは、そのような用語は、「備えている(comprising)」が、請求項におけるトランジショナルワード(transitional word)として使用されるときに解釈されるように、用語「備えている(comprising)」と同様にして包含的であるように意図される。
[付記１]
ワイヤレス通信の方法であって、
マルチアンテナ通信のための命令を実行するためにワイヤレス通信デバイス（ＷＣＤ）において少なくとも１つの通信プロセッサを使用すること、前記命令は、
第２のワイヤレスデバイスとのワイヤレス通信チャネルを形成すること、
分散型のマルチアンテナの送信または受信をインプリメントするために前記ＷＣＤまたは前記第２のワイヤレスデバイスのアンテナにインデックスを付けるパラメータを通信するために、前記チャネル上で中継リンクを確立することを備える、および
前記パラメータまたは前記命令を記憶するために、前記ＷＣＤにおいてメモリを使用すること
を具備してなる方法。
[付記２]
マルチアンテナ送信ストリームの計算のために前記の通信プロセッサとパラメータとを使用すること、をさらに具備してなる付記１に記載の方法。
[付記３]
前記計算は、前記ＷＣＤにおいてインプリメントされ、そして対応する送信ストリームについての計算は、前記第２のワイヤレスデバイスにおいてインプリメントされる、付記２に記載の方法。
[付記４]
前記中継リンクは、前記のＷＣＤと第２のワイヤレスデバイスとにおける分散処理に基づいて、多入力（ＭＩ）、多出力（ＭＯ）、または多入力／多出力（ＭＩＭＯ）のワイヤレス通信を容易にする（facilitates）、付記１に記載の方法。
[付記５]
マルチアンテナ受信のための受信ストリームを処理するために前記の通信プロセッサと中継パラメータとを使用すること、をさらに具備してなり、マルチアンテナ受信の対応する受信ストリームのための処理は、前記第２のワイヤレスデバイスにおいてインプリメントされる、付記１に記載の方法。
[付記６]
前記ワイヤレス通信チャネルは、前記のＷＣＤと第２のワイヤレスデバイスとの間の少なくとも１つの中継ノードを具備してなる間接リンクである、付記５に記載の方法。
[付記７]
前記の送信または受信をインプリメントする、前記ＷＣＤについてのワイヤレスリソースを選択するために前記インデックス付けを使用すること、をさらに具備してなる付記１に記載の方法。
[付記８]
前記第２のワイヤレスデバイスの前記アンテナについてのインデックスを提供する際に前記中継リンクを使用すること、をさらに具備してなる付記１に記載の方法。
[付記９]
前記中継リンク上で前記パラメータを供給する際に転送のエラー訂正、エラー検出、またはフィードバックを使用すること、をさらに具備してなる付記１に記載の方法。
[付記１０]
インデックス付けは、前記のマルチアンテナの送信または受信をインプリメントする際に前記アンテナについての役割を確立すること、を具備してなる付記１に記載の方法。
[付記１１]
インデックス付けは、前記の送信または受信をインプリメントするマルチ端末中継器の中のおのおのの送信または受信のアンテナについての異なる識別子を提供すること、を備える、付記１に記載の方法。
[付記１２]
多入力または多出力のワイヤレス通信のための装置であって、
分散型のマルチアンテナ通信をインプリメントするために処理の命令またはパラメータを記憶するためのメモリと、
ワイヤレスデータを送信し、または受信するためのアンテナと、
前記装置とワイヤレスデバイスとの間にワイヤレス通信チャネルを形成するために、前記マルチアンテナ通信のための分散処理を容易にするために前記アンテナまたは前記ワイヤレスデバイスのアンテナにインデックスを付けるためのパラメータを搬送するために、前記パラメータに基づいて前記命令を実行するための通信プロセッサと
を具備してなる装置。
[付記１３]
前記通信プロセッサは、前記ワイヤレスデバイスにおいて生成される対応する送信ストリームとは異なる、前記通信のための送信ストリームを生成するために前記パラメータを使用する、付記１２に記載の装置。
[付記１４]
前記ワイヤレスデバイスは、前記装置のＰ−Ｐパートナー、固定中継器、またはネットワークアクセスポイントである、付記１２に記載の装置。
[付記１５]
前記の命令と分散処理とは、前記の装置またはワイヤレスデバイスのアンテナを使用するＭＩ、ＭＯ、またはＭＩＭＯの通信を容易にする、付記１２に記載の装置。
[付記１６]
前記通信プロセッサは、マルチアンテナ受信のための受信信号を復号するために前記パラメータを使用する、付記１２に記載の装置。
[付記１７]
前記ワイヤレス通信チャネルについてのセキュリティ保護通信をインプリメントするセキュリティモジュール、をさらに具備してなる付記１２に記載の装置。
[付記１８]
前記分散処理と一緒に前記装置についての送信または受信のリソースを選択するために前記パラメータを使用するリソースモジュール、をさらに具備してなる付記１２に記載の装置。
[付記１９]
前記パラメータを前記ワイヤレスデバイスへと搬送する際に信頼性を提供するエラー訂正モジュール、をさらに具備してなる付記１２に記載の装置。
[付記２０]
前記エラー訂正モジュールは、前記増大された信頼性を提供する際に、転送のエラー訂正、エラー検出、またはフィードバックを使用する、付記１９に記載の装置。
[付記２１]
前記のマルチアンテナの送信または受信をインプリメントする際に前記装置と前記ワイヤレスデバイスとのそれぞれのアンテナについてのそれぞれの役割を確立する構文解析モジュール、をさらに具備してなる付記１２に記載の装置。
[付記２２]
前記構文解析モジュールは、前記それぞれのアンテナについての異なる識別子を提供し、ここにおいて、
それぞれの識別子は、それぞれの処理命令をインプリメントするために前記通信プロセッサと、前記ワイヤレスデバイスのプロセッサとによって使用され、そして
前記それぞれの処理命令は、複数のワイヤレスアンテナを通して（across）ＭＩ、ＭＯまたはＭＩＭＯの通信を調整するように構成されている、付記２１に記載の装置。
[付記２３]
ワイヤレス通信のための装置であって、
ＷＣＤの以下のコンポーネントを実行するために少なくとも１つの通信プロセッサを使用するための手段、
ワイヤレスデバイスとのワイヤレス通信チャネルを形成するための手段、
分散型のマルチアンテナの送信または受信をインプリメントするために前記ＷＣＤまたは前記ワイヤレスデバイスのアンテナにインデックスを付けるパラメータを搬送するために前記チャネル上で中継リンクを確立するための手段、および
前記パラメータまたは前記命令を記憶するための手段
を具備してなる装置。
[付記２４]
前記ワイヤレスデバイスにおいて計算される対応するストリームとは異なる、マルチアンテナ送信のストリームを計算する、または
前記ワイヤレスデバイスにおいて処理される対応するストリームとは異なる、マルチアンテナ受信の受信ストリームを処理する、
のうちの少なくとも一方を行うために前記の通信プロセッサとパラメータとを使用するための手段、をさらに具備してなる付記２３に記載の装置。
[付記２５]
ワイヤレス通信のために構成されたプロセッサであって、
ワイヤレスデバイスとのワイヤレス通信チャネルを形成するための第１のモジュール、
パラメータを通信するために前記チャネル上で中継リンクを確立するための第２のモジュール、前記パラメータは、分散型のマルチアンテナの送信または受信をインプリメントするために前記プロセッサに関連するアンテナ、または前記ワイヤレスデバイスのアンテナにインデックスを付ける、および
前記パラメータまたは前記命令をメモリに記憶するための第３のモジュール
を具備してなるプロセッサ。
[付記２６]
前記ワイヤレスデバイスにおいて計算される対応するストリームとは異なる、マルチアンテナ送信のストリームを計算する、または
前記ワイヤレスデバイスにおいて処理される対応するストリームとは異なる、マルチアンテナ受信の受信ストリームを処理する、
のうちの少なくとも一方を行うために前記中継パラメータを使用するための第３のモジュール、をさらに具備してなる付記２５に記載のプロセッサ。
[付記２７]
コンピュータに、ワイヤレスデバイスとのワイヤレス通信チャネルを形成するようにさせるための第１の組のコード、
パラメータを搬送するために、前記チャネル上で中継リンクを確立するようにさせるための第２の組のコード、前記パラメータは、前記コンピュータに、分散型のマルチアンテナの送信または受信をインプリメントするために前記コンピュータまたは前記ワイヤレスデバイスに関連するアンテナにインデックスを付ける、および
前記コンピュータに、前記パラメータまたは命令を記憶するようにさせるための第３の組のコードとを備えるコンピュータ読取り可能媒体
を具備してなるコンピュータプログラムプロダクト。
[付記２８]
前記コンピュータに、
前記ワイヤレスデバイスにおいて計算される前記送信の対応するストリームとは異なる、マルチアンテナ送信のストリームを計算する、または
前記ワイヤレスデバイスにおいて処理される前記受信の対応するストリームとは異なる、マルチアンテナ受信の受信ストリームを処理する、
のうちの少なくとも一方を行うために前記の通信プロセッサと中継パラメータを使用するようにさせるための第２の組のコード、をさらに具備してなる付記２７に記載のコンピュータプログラムプロダクト。
[付記２９]
マルチアンテナワイヤレス通信を容易にするための方法であって、
ＷＣＤと前記ＷＣＤの可能性のある（potential）ワイヤレスパートナーとを識別するデータを得るために有線またはワイヤレスの通信インターフェースを使用すること、
前記のＷＣＤまたはワイヤレスパートナーについてのマルチアンテナ通信のための分散処理を容易にするインデックスパラメータ(indexing parameter)を生成するためにプロセッサを使用すること、および
前記インデックスパラメータを前記ＷＣＤへと転送するために前記通信インターフェースを使用すること
を具備してなる方法。
[付記３０]
前記のＷＣＤまたはワイヤレスパートナーにおいて前記マルチアンテナ通信をインプリメントするための命令のそれぞれの組にそれぞれのインデックスパラメータを関連づけること、をさらに具備してなる付記２９に記載の方法。
[付記３１]
前記のＷＣＤまたはワイヤレスパートナーに割り当てられるインデックスパラメータは、前記通信のための前記のＷＣＤまたはワイヤレスパートナーによって使用されるべき１組の前記命令を識別する、付記３０に記載の方法。
[付記３２]
前記マルチアンテナ通信のためのデータを交換するために、前記のＷＣＤとワイヤレスパートナーとについてのワイヤレスチャネルを識別すること、をさらに具備してなる付記２９に記載の方法。
[付記３３]
前記インデックスパラメータは、前記マルチアンテナ通信をインプリメントする際に、
前記のＷＣＤとワイヤレスパートナーとについてのそれぞれの役割を確立する、付記２９に記載の方法。
[付記３４]
マルチアンテナワイヤレス通信を容易にするための装置であって、
ＷＣＤと前記ＷＣＤの可能性のあるワイヤレスパートナーとを識別するメッセージを得る通信インターフェース、
前記のＷＣＤとワイヤレスパートナーとについてのマルチアンテナ通信のための分散処理を容易にするインデックスパラメータを生成する分散型制御モジュール、および
を具備してなり、前記のＷＣＤまたはワイヤレスパートナーへと前記インデックスパラメータを送信するために前記通信インターフェースを使用する装置。
[付記３５]
前記分散型制御モジュールは、前記のＷＣＤまたはワイヤレスパートナーにおいて前記マルチストリーム通信をインプリメントするための命令のそれぞれの組にそれぞれのインデックスパラメータを関連づける、付記３４に記載の装置。
[付記３６]
前記ＷＣＤに割り当てられるインデックスパラメータは、前記通信のために前記ＷＣＤによって使用されるべき１組の前記命令を識別する、付記３５に記載の装置。
[付記３７]
前記マルチアンテナ通信をインプリメントする際に前記のＷＣＤとワイヤレスパートナーとの間のデータ交換のためのワイヤレスチャネルを識別するリソースモジュール、をさらに具備してなり、前記ＷＣＤは、ユーザ端末（ＵＴ）である、付記３４に記載の装置。
[付記３８]
前記インデックスパラメータは、前記マルチアンテナ通信をインプリメントする際に前記のＷＣＤとワイヤレスパートナーとについてのそれぞれの役割を確立する、付記３４に記載の装置。
[付記３９]
前記ワイヤレスパートナーは、ＵＴ、ネットワークアクセスポイント、またはワイヤレス中継器である、付記３４に記載の装置。
[付記４０]
マルチアンテナワイヤレス通信を容易にするための装置であって、
ＷＣＤと前記ＷＣＤの可能性のあるワイヤレスパートナーとを識別するデータを得るための手段、
前記のＷＣＤまたはワイヤレスパートナーについてのマルチアンテナ通信のための分散処理を容易にするインデックスパラメータを生成するための手段、
前記インデックスパラメータを前記ＷＣＤへと転送するための手段、および
を具備してなる装置。
[付記４１]
前記ＷＣＤに割り当てられるインデックスパラメータは、前記通信のために前記ＷＣＤによって使用されるべき１組の前記命令を識別する、付記４０に記載の装置。
[付記４２]
マルチアンテナワイヤレス通信を容易にするためのプロセッサであって、
ＷＣＤと前記ＷＣＤの可能性のあるワイヤレスパートナーとを識別するデータを得るための第１のモジュールと、
前記のＷＣＤまたはワイヤレスパートナーについてのマルチアンテナ通信のための分散処理を容易にするインデックスパラメータを生成するための第２のモジュールと、
前記インデックスパラメータを前記ＷＣＤへと転送するための第３のモジュールと、
を具備してなるプロセッサ。
[付記４３]
前記ＷＣＤに割り当てられるインデックスパラメータは、前記通信のために前記ＷＣＤによって使用されるべき１組の前記命令を識別する、付記４２に記載のプロセッサ。
[付記４４]
コンピュータに、ＷＣＤと前記ＷＣＤの可能性のあるワイヤレスパートナーとを識別するデータを得るようにさせるための第１の組のコード、
前記コンピュータに、前記のＷＣＤまたはワイヤレスパートナーについてのマルチアンテナ通信のための分散処理を容易にするインデックスパラメータを生成するようにさせるための第２の組のコード、および
前記コンピュータに、前記インデックスパラメータを前記ＷＣＤへと転送するようにさせるための第３の組のコードとを備えるコンピュータ読取り可能媒体
を具備してなるコンピュータプログラムプロダクト。
[付記４５]
前記ＷＣＤに割り当てられるインデックスパラメータは、前記通信のために前記ＷＣＤによって使用されるべき１組の前記命令を識別する、付記４３に記載のコンピュータプログラムプロダクト。
【図１】
0005746113.tif 000002
【図２】
0005746113.tif 000003
【図３】
0005746113.tif 000004
【図４】
0005746113.tif 000005
【図５】
0005746113.tif 000006
【図６】
0005746113.tif 000007
【図７】
0005746113.tif 000008
【図８】
0005746113.tif 000009
【図９】
0005746113.tif 000010
【図１０】
0005746113.tif 000011
【図１１】
0005746113.tif 000012
【図１２】
0005746113.tif 000013
【図１３】
0005746113.tif 000014
【図１４】
0005746113.tif 000015